(57)【特許請求の範囲】
【請求項１】
コンピュータが、
情報の発信を希望する発信希望者に、情報を入力させ、
該情報の特性の種類と値とを表すデータを含む検索錠データを該情報に付加して、情報通信ネットワークからアクセス可能なサーバに展示情報として登録し、
前記登録された展示情報の受信を希望する受信希望者に、嗜好の情報を入力させ、
該嗜好の種類と値とを表すデータを含む検索鍵データを生成し、
前記生成された検索鍵データに適合する検索錠データが付加されている展示情報を検索し、前記受信希望者に対して受信させ、
該受信する展示情報に対して予め定める行為を行うことを条件に、前記受信希望者に対してポイントを登録し、
該登録したポイント数に応じた料金を、該行為が行われた展示情報の発信希望者に請求するための情報を出力し、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援方法。
【請求項２】
前記展示情報は、前記受信希望者が受信可能な前記発信希望者の作品であり、
前記予め定める行為として、受信希望者は、受信した作品についてコメントを入力することを特徴とする請求項１記載の情報発信支援方法。
【請求項３】
前記展示情報は、前記受信希望者が購入する商品に関するものであり、
前記予め定める行為として、受信希望者は、受信した受信情報に基づいて該商品を購入することを特徴とする請求項１または２記載の情報発信支援方法。
【請求項４】
前記嗜好の情報の入力は、前記受信希望者に、予め定める事項についての質問を行い、該質問に回答させることによって行うことを特徴とする請求項１〜３のいずれか１つに記載の情報発信支援方法。
【請求項５】
前記検索鍵データは、前記入力された嗜好の情報に基づくデータとともに、年令や世代別、または最近の流行などを考慮して任意に設定される嗜好の種類と値とを表すデータを含むことを特徴とする請求項１〜４のいずれか１つに記載の情報発信支援方法。
【請求項６】
前記嗜好の情報の入力時に、前記受信希望者に対して識別情報を決定し、
該識別情報と対応づけて前記検索鍵データを登録し、
前記情報発信ネットワークから前記展示情報へのアクセスの際に受信希望者に識別情報を入力させ、
該識別情報に対応して登録されている検索鍵データに適合する検索錠データが付加されている展示情報を、前記受信希望者に受信させることを特徴とする請求項１〜５のいずれか１つに記載の情報発信支援方法。
【請求項７】
情報の発信を希望する発信希望者に、情報を入力させる過程と、
該情報の特性の種類と値とを表すデータを含む検索錠データを該情報に付加して、情報通信ネットワークからアクセス可能なサーバに展示情報として登録する過程と、
情報通信ネットワークから前記公開された展示情報へのアクセスを受信し、展示情報の受信希望者から嗜好の情報が入力され、入力された嗜好の情報を登録する過程と、
登録された嗜好の情報に基づいて、該嗜好の種類と値とを表すデータを含む検索鍵データであって、該検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能である検索鍵データを生成する過程と、
生成された検索鍵データと適合する検索錠データが付加されている展示情報を検索して、該展示情報を受信希望者に受信させる過程と、
受信希望者が受信した展示情報に対して予め定める行為を行うことを条件に、前記受信希望者に対してポイントを登録する過程と、
前記サーバで公開されている展示情報の発信希望者に対して、登録したポイント数に応じた料金を請求するための情報を出力する過程とを、コンピュータに実行させるためのプログラムを記録したコンピュータ読取可能な記録媒体。
【請求項８】
情報の発信を希望する発信希望者に、情報を入力させる入力手段と、
該情報の特性の種類と値とを表すデータを含む検索錠データを該情報に付加して、情報通信ネットワークからアクセス可能なサーバに展示情報として登録して公開する情報公開手段と、
情報通信ネットワークから前記登録された展示情報にアクセスする展示情報の受信希望者に対して、嗜好の情報を入力させて登録し、登録された嗜好の情報に基づいて、該嗜好の種類と値とを表すデータを含む検索鍵データを生成する検索鍵データ生成手段とを含み、
該情報公開手段は、検索鍵データ生成手段によって生成された検索鍵データに適合する検索錠データを検索し、検索された検索錠データが付加されている展示情報を前記受信希望者に受信させて、該受信する展示情報に対して予め定める行為を行うことを条件に、前記受信希望者に対してポイントを登録し、該登録したポイント数に応じた料金を、該行為が行われた展示情報の発信希望者に請求するための情報を出力する処理を行い、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援装置。
【請求項９】
前記情報公開手段は、
前記展示情報として、前記受信希望者が受信可能な前記発信希望者の作品、または該受信希望者が購入する商品に関する情報を公開し、
前記予め定める行為として、該作品についてコメントを入力すること、または受信した受信情報に基づいて該商品を購入することを、該受信希望者に要求することを特徴とする請求項８記載の情報発信支援装置。
【請求項１０】
情報の発信を希望する発信希望者によって入力された情報に、該情報の特性の種類と値とを表すデータを含む検索錠データが付加された展示情報を登録して公開する展示サーバと、
情報通信ネットワークから前記展示情報へのアクセスを受信するポータルサーバであって、
展示情報の受信希望者から嗜好の情報が入力され、入力された嗜好の情報を登録する嗜好登録手段と、
嗜好登録手段によって登録された嗜好の情報に基づいて、該嗜好の種類と値とを表すデータを含む検索鍵データを生成する検索鍵データ生成手段と、
展示サーバから、生成された検索鍵データと適合する検索錠データが付加されている展示情報を検索して、該展示情報を受信希望者に受信させる検索手段と、
該展示情報に対して予め定める行為を行うことを条件に、前記受信希望者に対してポイントを登録するポイント登録手段と、
前記展示情報の発信希望者に対して、ポイント登録手段が登録したポイント数に応じた料金を請求するための情報を出力する料金請求手段とを有する、
ポータルサーバとを含み、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援装置。
【請求項１１】
前記発信希望者に前記展示サーバで展示する展示情報を入力させ、前記検索錠データを生成する支援サーバを、さらに含むことを特徴とする請求項１０記載の情報発信支援装置。
【請求項１２】
コンピュータが、
情報の発信を希望する発信希望者に、情報を入力させ、
該情報の特性の種類と値とを表すデータを含む検索錠データを該情報に付加して、情報通信ネットワークからアクセス可能なサーバに展示情報として登録し、
前記登録された展示情報の受信を希望する受信希望者に、嗜好の情報を入力させ、入力された嗜好の情報に基づいて、該嗜好の種類と値とを表すデータを含む検索鍵データを生成し、
前記展示情報にアクセスして来る受信希望者には、生成された検索鍵データに適合する検索錠データが付加されている展示情報を受信させて、受信する展示情報に対して受信希望者からのコメントを表すコメント情報を入力させ、
情報通信ネットワークから該サーバにアクセスする、前記コメント情報を入力した受信希望者以外の受信希望者に対して、前記コメント情報を出力し、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援方法。
【発明の詳細な説明】
【０００１】
【発明の属する技術分野】
本発明は、情報通信ネットワーク上で情報を公開して、広く発信したい希望者に対し、情報の発信が有効に行えるように支援する情報発信支援方法および装置に関する。
【０００２】
【従来の技術】
近年、情報通信手段の発達に伴い、インターネットのような広域的な情報通信ネットワークを用いて、種々の情報の発信が行われている。特に、ＷＥＢページと呼ばれる型式で情報を発信するようにすれば、広く普及しているＷＥＢブラウザと呼ばれるソフトウエアで容易に閲覧することが可能となる。インターネットを利用する情報の発信では、宣伝や広告、あるいは何らかの意見の主張や発表などのために情報を無料で公開したり、インターネット上で仮想的な商品販売の店舗を構築して、有料で商品を販売するビジネスも行われている。
【０００３】
図４３は、特開平１０−３２０４７７号公報に開示されている先行技術の概要を示す。この先行技術では、モールサーバ１上に仮想的な店舗としての仮想ショッピングモールが構築される。モールサーバ１は情報通信ネットワーク２に接続され、情報通信ネットワーク２を介して仮想ショッピングモールで各種商品を消費者に販売する出店企業３の端末装置４にも接続される。出店企業３の作業を代行する代行企業５も、情報通信ネットワーク２に接続される端末装置６を有する。出店企業３や代行企業５は、テーブル７に予め識別情報としてのＩＤコードを登録しておき、出店企業ホームページ８の商品情報９に対して、テーブル７に登録されているＩＤコードを示せば編集が可能となる。テーブル７にＩＤコードが登録されていない場合は、出店企業ホームページ８にアクセスしても、商品情報９の閲覧のみが可能となる。
【０００４】
代行企業５は、予めテーブル７にＩＤコードを登録しておけば、出店企業３に代わって商品情報９の編集が可能となる。したがって、代行企業５に商品情報９の編集や、注文情報の取得などの業務を任せる出店企業３は、代行企業５に自己のＩＤコードを教える必要なく、代行企業５も自己のＩＤコードに基づいて出店企業ホームページ８にアクセスすることができる。このような先行技術では、出店企業３は代行企業５にモールサーバ１での商品情報９の管理などを任せて、手間を省くことができる。
【０００５】
【発明が解決しようとする課題】
特開平１０−３２０４７７号公報で開示されている先行技術では、一旦モールサーバ１の出店企業ホームページ８に商品情報９を展示した出店企業３は、後の管理などを代行企業５に任せることができる。しかしながら、出店企業ホームページ８は出店企業３自身が開設する必要がある。今日では多くの情報がインターネットを通じて発信され、仮想的なショッピングモールも多く設けられている。したがって、単に出店企業ホームページ８を設けて商品情報９を公開しているだけでは、消費者が必ずしも利用してくれるとは限らない。このため、出店企業ホームページ８の作成にあたっては、閲覧者が関心をもつような魅力を備える必要がある。また、モールサーバ１自体にも閲覧の機会を増すような工夫が必要である。
【０００６】
インターネットを通じての情報の発信希望者には、自己の創作した映像作品の公開希望者や、電子店舗を設立して商売を行うビジネス希望者などが多い。映像作品の発信希望者は、デジタルカメラやビデオカメラを使って映像作品を創作することについては習熟していても、コンピュータやインターネットについての知識が乏しいことがある。またインターネットを通じる商取引の希望者も、コンピュータやインターネットについての知識が乏しいことが多い。したがって、インターネット上に映像作品を公開したり、電子店舗などを接続してビジネスを行う場合には、次のような困難を覚悟しなければならない。
【０００７】
▲１▼インターネットに接続する手段と知識との欠如。
インターネットに接続するための端末装置として、たとえばパーソナルコンピュータなどの手段を備える必要がある。また、プロバイダなどへの入会もインターネットへアクセスする手段として必要である。さらに、作品の公開や店舗の設立に必要な方法を知るためには、各種マニュアルなどを読んで独習するか、通信教育を受けたりスクールに足を運んだりする必要がある。
【０００８】
▲２▼コンテンツの不足。
多くの情報が発信されているインターネットでも多くのアクセスを受けられるようにするためには、作品や店舗をより魅力あるものに仕上げるため、タイトル、壁紙、キャラクタなどを加える必要がある。このためには、適当な既製のコンテンツパッケージを探して購入するか、専門のデザイン会社に依頼して作成してもらうことが必要になる。
【０００９】
▲３▼認知してもらうことの難しさ。
インターネットで公開するメリットとして、多くの人に見てもらえることがある。しかしながら、多くの人に見てもらうためには、自らの作品や店舗を認知してもらう必要がある。この手段としては、すでに認知度が高く、アクセスの多いサイトへ広告を出したり、検索サイトへ登録することなどが考えられる。これらは高い費用を必要としたり、作者の意図を充分に反映し難いといった問題がある。
【００１０】
本発明の目的は、コンピュータや情報通信ネットワークに関する知識が乏しい発信希望者に対し、多くのアクセスを受けられるように支援する情報発信支援方法、記録媒体および情報発信支援装置を提供することである。
【００１１】
【課題を解決するための手段】
本発明は、コンピュータが、
情報の発信を希望する発信希望者に、情報を入力させ、
該情報の特性の種類と値とを表すデータを含む検索錠データを該情報に付加して、情報通信ネットワークからアクセス可能なサーバに展示情報として登録し、
前記登録された展示情報の受信を希望する受信希望者に、嗜好の情報を入力させ、
該嗜好の種類と値とを表すデータを含む検索鍵データを生成し、
前記生成された検索鍵データに適合する検索錠データが付加されている展示情報を検索し、前記受信希望者に対して受信させ、
該受信する展示情報に対して予め定める行為を行うことを条件に、前記受信希望者に対してポイントを登録し、
該登録したポイント数に応じた料金を、該行為が行われた展示情報の発信希望者に請求するための情報を出力し、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援方法である。
【００１２】
本発明に従えば、コンピュータは、情報通信ネットワーク上での情報の発信希望者から依頼を受けて、検索時に便宜を図るための検索錠データを情報に付与して展示情報を作成する。情報の発信希望者は、コンピュータや情報通信ネットワークに対する知識が乏しくても、たとえば料金を払えば展示情報を作成してもらうことができ、情報発信が可能となる。コンピュータは、作成された展示情報を、情報通信ネットワークからアクセス可能なサーバに展示情報として登録して公開する。コンピュータは、登録された展示情報に情報通信ネットワークからアクセスする展示情報の受信希望者に対しては、嗜好の情報を入力させる。コンピュータは、入力された嗜好の情報に基づいて、展示情報に付加されている検索錠データを利用して展示情報を検索するための検索鍵データを形成する。コンピュータは、受信希望者には、形成された検索鍵データに適合する検索錠データが付加されている展示情報を受信させる。受信希望者は、登録した嗜好に適合する展示情報を受信することができるので、短い時間と手間で希望する展示情報を受信することが可能となる。
【００１３】
展示情報を受信する受信希望者に対しては、受信した展示情報に対して予め定める行為を行うことを条件にポイントが登録されるので、デジタルアトリエからの展示情報の受信を行う有力な動機付けとなる。受信希望者に登録したポイント数に応じた料金を展示情報の発信希望者に請求するので、多くのアクセスを受け、発信した展示情報に対して予め定める行為が行われた実績に対して報酬を得ることができる。すなわち、多くのアクセスを受けることができる展示情報を作成すれば、多くの報酬が得られることになるので、情報をデジタルアトリエに展示して公開する発信希望者への支援に実効を伴わせることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。
【００１４】
また本発明で、前記展示情報は、前記受信希望者が受信可能な前記発信希望者の作品であり、
前記予め定める行為として、受信希望者は、受信した作品についてコメントを入力することを特徴とする。
【００１５】
本発明に従えば、情報通信ネットワークを介して自己の何らかの作品を公開したい発信希望者は、展示情報を作成してもらって、展示情報をサーバに登録して公開してもらうことができる。たとえばデジタルカメラやビデオカメラを所有してこれらを使いこなすことができるようになっていても、インターネットなどの情報通信ネットワークで作品を展示して発信することは困難である。発信希望者が発信したい情報について、サーバ側で検索錠データを付加して展示するので、発信希望者がコンピュータや情報通信ネットワークに対する知識を充分に有していなくても、受信希望者から情報通信ネットワークを介してアクセスを受ける展示情報をサーバに登録してもらい、コメントを残すように動機付けてもらうことができる。
【００１６】
また本発明で、前記展示情報は、前記受信希望者が購入する商品に関するものであり、
前記予め定める行為として、受信希望者は、受信した受信情報に基づいて該商品を購入することを特徴とする。
【００１７】
本発明に従えば、商品を販売するために商品に関する展示情報を発信する希望者は、サーバに商品に関する展示情報を登録して公開し、公開する展示情報に対して予め定める行為、たとえば商品の購入が行われれば、購入者にはポイントが与えられ、ポイントに応じた料金が発信希望者に対して請求される。商品の売れ行きに従うポイント数に応じて料金を支払うようになるので、発信希望者は、展示情報を作成してもらうことで多くのアクセスを受けて商品が販売されるように期待することができる。
【００１８】
また本発明で、前記嗜好の情報の入力は、前記受信希望者に、予め定める事項についての質問を行い、該質問に回答させることによって行うことを特徴とする。
【００１９】
本発明に従えば、デジタルアトリエに展示されている情報の受信希望者に対しては、質問形式での応答で情報検索の基礎となる嗜好の情報を入力させることができる。受信希望者は、簡単な質問に回答していくだけで、サーバに登録されている情報から受信する展示情報の範囲を絞って効率よく情報を得ることができる。
【００２０】
また本発明で、前記検索鍵データは、前記入力された嗜好の情報に基づくデータとともに、年令や世代別、または最近の流行などを考慮して任意に設定される嗜好の種類と値とを表すデータを含むことを特徴とする。
【００２１】
本発明に従えば、デジタルアトリエに展示されている情報を検索する際に用いる検索鍵データは、入力された嗜好の情報とともに、年令や世代別か、または最近の流行か等を含む一般的な要素を含めて作成するので、受信希望者の表明した嗜好などに加えて、一般的な要素も含めた適切な情報検索を行うことができる。
【００２４】
また本発明は、前記嗜好の情報の入力時に、前記受信希望者に対して識別情報を決定し、
該識別情報と対応づけて前記検索鍵データを登録し、
前記情報発信ネットワークから前記展示情報へのアクセスの際に受信希望者に識別情報を入力させ、
該識別情報に対応して登録されている検索鍵データに適合する検索錠データが付加されている展示情報を、前記受信希望者に受信させることを特徴とする。
【００２５】
本発明に従えば、情報検索の基礎となる嗜好の情報の入力時に、受信希望者に対して識別情報を発行する。受信希望者が、次にサーバへアクセスする際に識別情報を提示すれば、識別情報に対応して登録されている嗜好の情報に基づく検索鍵データを使用して情報検索が行われるので、２回目以降のアクセスでは、改めて質問形式で嗜好の情報を入力する必要はない。受信希望者は、自己の嗜好の情報について識別情報を得るとともに、たとえば贈答品などの贈答先の嗜好の情報についても入力して識別情報を得ることができる。
【００２６】
さらに本発明は、情報の発信を希望する発信希望者に、情報を入力させる過程と、
該情報の特性の種類と値とを表すデータを含む検索錠データを該情報に付加して、情報通信ネットワークからアクセス可能なサーバに展示情報として登録する過程と、
情報通信ネットワークから前記公開された展示情報へのアクセスを受信し、展示情報の受信希望者から嗜好の情報が入力され、入力された嗜好の情報を登録する過程と、
登録された嗜好の情報に基づいて、該嗜好の種類と値とを表すデータを含む検索鍵データであって、該検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能である検索鍵データを生成する過程と、
生成された検索鍵データと適合する検索錠データが付加されている展示情報を検索して、該展示情報を受信希望者に受信させる過程と、
受信希望者が受信した展示情報に対して予め定める行為を行うことを条件に、前記受信希望者に対してポイントを登録する過程と、
前記サーバで公開されている展示情報の発信希望者に対して、登録したポイント数に応じた料金を請求するための情報を出力する過程とを、コンピュータに実行させるためのプログラムを記録したコンピュータ読取可能な記録媒体である。
【００２７】
本発明に従えば、コンピュータを動作させて、サーバに登録されて公開されている情報へのアクセスについての勧誘をポイントの提供で行い、展示情報が多くの受信希望者に受信されて予め定める行為が行われることを条件にポイント数に応じた料金の請求で、アクセスの成績に応じた報酬を得ることができるようなシステムを、コンピュータのプログラム動作で容易に構築することができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。
【００２８】
さらに本発明は、情報の発信を希望する発信希望者に、情報を入力させる入力手段と、
該情報の特性の種類と値とを表すデータを含む検索錠データを該情報に付加して、情報通信ネットワークからアクセス可能なサーバに展示情報として登録して公開する情報公開手段と、
情報通信ネットワークから前記登録された展示情報にアクセスする展示情報の受信希望者に対して、嗜好の情報を入力させて登録し、登録された嗜好の情報に基づいて、該嗜好の種類と値とを表すデータを含む検索鍵データを生成する検索鍵データ生成手段とを含み、
該情報公開手段は、検索鍵データ生成手段によって生成された検索鍵データに適合する検索錠データを検索し、検索された検索錠データが付加されている展示情報を前記受信希望者に受信させて、該受信する展示情報に対して予め定める行為を行うことを条件に、前記受信希望者に対してポイントを登録し、該登録したポイント数に応じた料金を、該行為が行われた展示情報の発信希望者に請求するための情報を出力する処理を行い、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援装置である。
【００２９】
本発明に従えば、情報発信支援装置には、情報公開手段と、検索鍵データ生成手段とが含まれる。情報公開手段は、情報通信ネットワーク上への情報の発信希望者から依頼を受けて、検索時に便宜を図るための検索錠データを情報に付与して展示情報を作成する。情報の発信希望者は、コンピュータや情報通信ネットワークに対する知識が乏しくても、情報公開手段に展示情報を作成してもらうことができ、情報発信が可能となる。作成された展示情報は、情報公開手段によって、情報通信ネットワークからアクセス可能なサーバに登録され公開される。サーバに情報通信ネットワークからアクセスする展示情報の受信希望者に対しては、検索鍵データ生成手段に、情報検索の基礎となる嗜好の情報を入力させる。検索鍵データ生成手段は、入力された嗜好の情報に基づいて、展示情報に付加されている検索錠データを利用して展示情報を検索するための検索鍵データを生成する。情報公開手段は、受信希望者に、生成された検索鍵データに適合する検索錠データが付加されている展示情報を受信させる。受信希望者は、入力した嗜好の情報に適合する展示情報を受信することができるので、短い時間と手間で希望する展示情報を受信することが可能となる。
【００３０】
展示情報を受信する受信希望者に対しては、情報公開手段から、受信した展示情報に対して予め定める行為を行うことを条件にポイントが登録されるので、情報公開手段のデジタルアトリエからの展示情報の受信を行う有力な動機付けとなる。情報公開手段は、受信希望者に登録したポイント数に応じた料金を展示情報の発信希望者に請求するので、多くのアクセスを受け、発信した展示情報に対して予め定める行為が行われた実績に対して報酬を得ることができる。報酬が得られることで、発信希望者への支援に実効を伴わせることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。
【００３１】
また本発明で、前記情報公開手段は、
前記展示情報として、前記受信希望者が受信可能な前記発信希望者の作品、または該受信希望者が購入する商品に関する情報を公開し、
前記予め定める行為として、該作品についてコメントを入力すること、または受信した受信情報に基づいて該商品を購入することを、該受信希望者に要求することを特徴とする。
【００３２】
本発明に従えば、情報公開手段のサーバには受信希望者が受信可能な発信希望者の作品と、受信希望者が購入する商品とが公開され、受信希望者が作品についてコメントを残すか、または商品を購入すれば、ポイントが登録される。ポイントの登録が受信希望者に展示情報の受信への意欲を起させ、発信希望者が発信したい情報に、多くのアクセスがなされるように支援することができる。
【００３３】
さらに本発明は、情報の発信を希望する発信希望者によって入力された情報に、該情報の特性の種類と値とを表すデータを含む検索錠データが付加された展示情報を登録して公開する展示サーバと、
情報通信ネットワークから前記展示情報へのアクセスを受信するポータルサーバであって、
展示情報の受信希望者から嗜好の情報が入力され、入力された嗜好の情報を登録する嗜好登録手段と、
嗜好登録手段によって登録された嗜好の情報に基づいて、該嗜好の種類と値とを表すデータを含む検索鍵データを生成する検索鍵データ生成手段と、
展示サーバから、生成された検索鍵データと適合する検索錠データが付加されている展示情報を検索して、該展示情報を受信希望者に受信させる検索手段と、
該展示情報に対して予め定める行為を行うことを条件に、前記受信希望者に対してポイントを登録するポイント登録手段と、
前記展示情報の発信希望者に対して、ポイント登録手段が登録したポイント数に応じた料金を請求するための情報を出力する料金請求手段とを有する、
ポータルサーバとを含み、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援装置である。
【００３４】
本発明に従えば、情報通信ネットワーク上での情報の発信希望者から依頼を受けて、展示サーバは、検索時に便宜を図るための検索錠データが付与された展示情報を、サイトに登録して展示する。情報の発信希望者は、コンピュータや情報通信ネットワークに対する知識が乏しくても、展示サーバによってサイトで展示情報を展示してもらうことができる。デジタルアトリエに情報通信ネットワークからアクセスする展示情報の受信希望者に対しては、ポータルサーバの嗜好登録手段が情報検索の基礎となる嗜好の情報を取得して嗜好を登録する。検索鍵データ生成手段は、嗜好登録手段に登録されている嗜好の情報に基づいて、展示情報に付加されている検索錠データを利用して展示情報を検索するための検索鍵データを生成する。検索手段は、検索鍵データ生成手段によって生成された検索鍵データに適合する検索錠データが付加されている展示情報を、受信希望者に受信させる。受信希望者は、登録した嗜好の情報に適合する展示情報を受信することができるので、短い時間と手間で希望する展示情報を受信することが可能となる。
【００３５】
展示情報を受信する受信希望者に対しては、ポータルサーバのポイント登録手段から、受信した展示情報に対して予め定める行為を行うことを条件にポイントが登録されるので、サイトからの展示情報の受信を行う有力な動機付けとなる。ポータルサーバの料金請求手段は、受信希望者に登録したポイント数に応じた料金を展示情報の発信希望者に請求するので、多くのアクセスを受け、発信した展示情報に対して予め定める行為が行われた実績に対して報酬を請求することができる。多くの実績に結びつく展示情報を作成すれば、多くの報酬が得られることになるので、情報をサイトに展示して公開する発信希望者への支援に実効を伴わせることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。
【００３６】
また本発明は、前記発信希望者に前記展示サーバで展示する展示情報を入力させ、前記検索錠データを生成する支援サーバを、さらに含むことを特徴とする。
【００３７】
本発明に従えば、支援サーバが展示サーバで展示する展示情報の作成を支援するので、発信希望者は情報発信ネットワーク上での情報発信を容易に行うことができる。支援サーバは、展示情報の検索の便宜を図るために展示情報に付加する検索錠データも生成するので、適切な検索錠データを付加することができる。
【００３８】
また本発明は、コンピュータが、
情報の発信を希望する発信希望者に、情報を入力させ、
該情報の特性の種類と値とを表すデータを含む検索錠データを該情報に付加して、情報通信ネットワークからアクセス可能なサーバに展示情報として登録し、
前記登録された展示情報の受信を希望する受信希望者に、嗜好の情報を入力させ、入力された嗜好の情報に基づいて、該嗜好の種類と値とを表すデータを含む検索鍵データを生成し、
前記展示情報にアクセスして来る受信希望者には、生成された検索鍵データに適合する検索錠データが付加されている展示情報を受信させて、受信する展示情報に対して受信希望者からのコメントを表すコメント情報を入力させ、
情報通信ネットワークから該サーバにアクセスする、前記コメント情報を入力した受信希望者以外の受信希望者に対して、前記コメント情報を出力し、
前記検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であることを特徴とする情報発信支援方法である。
【００３９】
本発明に従えば、情報発信支援方法では、コンピュータが、登録した嗜好の情報に適合する展示情報を受信希望者に受信させることができるので、短い時間と手間で希望する展示情報を受信させることが可能となる。情報発信支援方法では、コンピュータは、展示情報に対して入力されたコメントを、確認させることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。
【００４０】
【発明の実施の形態】
図１は、本発明の実施の一形態としての情報発信支援方法の概要を示す。本実施形態では、情報発信支援は、インターネットに関連するデジタルアトリエ（以下、「ＤＡ」と略称することがある）１０を開設するビジネスとして行われる。デジタルアトリエ１０は会員制になっており、インターネット上のサイトとして展開されるサイバースペース１２と、インターネット外のサービス提供拠点となるリアルスペース１３とに分けて考えることができる。サイバースペース１２には、個人の作品情報を提供するためのライブラリを、出展者ＨＰ（Home Page）などとして開設するライブラリサーバ１４と、商品を販売するための商品情報を提供する商店街としてのモールを、店舗ＨＰとして開設するモールサーバ１５とが設けられる。ライブラリサーバ１４およびモールサーバ１５には、入口となるポータルサーバ１６を介してインターネット１７からアクセスが可能である。ポータルサーバ１６へは、ライブラリへのビジタ１８とモールへのビジタ１９とがアクセスしてくる。
【００４１】
リアルスペース１３では、デジタルアトリエ１０で用意されているコンテンツデータベースなどを備える支援サーバ２０を備えてＤＡ会員１１が作業を行うスタジオ２１や、展示情報の作成についての知識や講義を受けたり、展示情報に利用するコンテンツが供与されるスクール２２などが設けられる。また、サイバースペース１２で、デジタルアトリエ１０内のモールサーバ１５でカバーすることができない部分については、他の会社などが開設する提携会社モール２３と連携動作が可能である。
【００４２】
ＤＡ会員１１は、スクール２２で、コンピュータやインターネットに関する基本から、ライブラリサーバ１４に作品を展示したり、モールサーバ１５に店舗を開設するまでに必要な知識を、自らのレベルに応じて自由に選択しながら学ぶことができる。スタジオ２１では、スクール２２で学んだ知識などを活かし、用意された端末や支援サーバ２０から得られるコンテンツデータベースを利用し、ライブラリサーバ１４やモールサーバ１５に作品や商品情報をアップロードして、ライブラリや店舗を開設する作業を行うことができる。支援サーバ２０から作品や商品情報をアップロードする際には、検索の便宜を図るための検索錠も付加される。
【００４３】
デジタルアトリエ１０は、ライブラリサーバ１４やモールサーバ１５に展示されている作品情報や商品情報を、ライブラリへのビジタ１８やモールへのビジタ１９に円滑に提供するために、ポータルサーバ１６を用意している。ライブラリサーバ１４、モールサーバ１５、ポータルサーバ１６および支援サーバ２０は、デジタルアトリエ１０内に敷設するＬＡＮ（Local Area Network）などで相互に接続されている。ポータルサーバ１６では、ライブラリへのビジタ１８やモールへのビジタ１９に対して登録を促すと同時に、アンケート方式で興味や趣味などのプロファイルを記入してもらい、嗜好を表す固有鍵として登録保管する。固有鍵には、識別番号を取り決め、以後ライブラリへのビジタ１８やモールへのビジタ１９が識別番号を提示してアクセスすれば、この固有鍵を呼び出して、作品の閲覧や商品の検索をより迅速かつ効率的に行うようにすることができる。
【００４４】
デジタルアトリエ１０では、ライブラリサーバ１４が開設するライブラリを閲覧するライブラリへのビジタ１８に対して、閲覧した作品に対するコメントを残すことを促す。一般にインターネット上で作品を展示する発信希望者に対しては、作品を閲覧した受信希望者がコメントを残すと、作品の発信希望者からコメントに対する返答が期待される。本実施形態のデジタルアトリエ１０を利用する場合には、ＤＡ会員１１からの謝礼として、獲得数に応じて賞品と引換えが可能な景品ポイントが進呈される。景品ポイントは固有鍵とともにポータルサーバ１６に保存される。ＤＡ会員１１に対しては、ポータルサーバ１６からライブラリへのビジタ１８に進呈した景品ポイントに応じた利用料金が請求される。
【００４５】
すなわち、ライブラリへのビジタ１８がポータルサーバ１６に対し、インターネット１７を介して▲１▼で示すような作品検索の要求と▲２▼で示すようなコメント書込みとを行うと、ポータルサーバ１６はライブラリへのビジタ１８に対して、インターネット１７を介して▲１▼で示すような作品情報提供と▲２▼で示すようなポイント提供とをそれぞれ行う。またポータルサーバ１６は、ライブラリサーバ１４に対し、▲１▼で示すような作品検索を行う。さらにポータルサーバ１６は、ＤＡ会員１１に対し、後述する「※１」の(1a)で示すように、インターネット１７を介して、ライブラリへのビジタ１８に提供した景品ポイントに対応するポイント提供料の請求を行う。
【００４６】
デジタルアトリエ１０では、モールサーバ１５が開設するモールで商品情報を検索するモールへのビジタ１９に対して、モールへのビジタ１９自身の固有鍵だけでなく、他の固有鍵を使用したり、ポータルサーバ１６で予め用意された任意鍵の使用、またこれら固有鍵と任意鍵との同時使用などを、選択可能にしておく。これは、モールへのビジタ１９以外への贈物などを、モールへのビジタ１９自身の嗜好とは異なる基準で、モールから効率的に検索することなども可能にするためである。
【００４７】
ポータルサーバ１６は、モールへのビジタ１９からの商品検索を受けると、モールサーバ１５内で固有鍵や任意鍵などの単独、あるいは組合せによる検索鍵を使用して商品の検索を行い、適当な商品が見つけられた場合は、この結果を推奨商品としてモールへのビジタ１９に紹介する。モールへのビジタ１９が、既定のフォームを使って推奨商品を発注する手続をとると、モールへのビジタ１９に対しては景品ポイントが進呈される。推奨商品に関する情報の発信希望者であるＤＡ会員１１に対しては、ポータルサーバ１６からモールへのビジタ１９に進呈した景品ポイントに応じた手数料が請求される。
【００４８】
ポータルサーバ１６が行う処理のうち、「※１」で示す処理は、ＤＡ会員１１への次のような手数料の請求に対応する。
(1a)ポイント提供料請求
(1b)錠更新手数料請求
(1c)スタジオ・スクール利用料請求
また、「※２」で示す処理は、ＤＡ会員１１からポータルサーバ１６への作品・商品の追加・変更に伴う錠更新依頼である。「※３」で示す処理は、支援サーバ２０とポータルサーバ１６との間での次のような手順を表す。
(3a)出展者・店舗・作品・商品管理テーブル更新登録
(3b)出展者ＨＰ・店舗編集用認証テーブル登録更新
(3c)錠管理テーブル登録更新
(3d)鍵と錠対比管理テーブル登録更新
(3e)錠更新手数料、スタジオ・スクール利用料請求
【００４９】
すなわち、モールへのビジタ１９がポータルサーバ１６に対し、インターネット１７を介して▲１▼で示すような商品検索の要求と▲２▼で示すような商品発注とを行うと、ポータルサーバ１６はモールへのビジタ１９に対して、インターネット１７を介して▲１▼で示すような商品情報提供と▲２▼で示すようなポイント提供とをそれぞれ行う。またポータルサーバ１６は、モールサーバ１５に対し、▲１▼で示すような商品検索と▲２▼で示すような商品発注とをそれぞれ行う。さらにポータルサーバ１６は、ＤＡ会員１１に対し、「※１」で示す処理の(1a)で示すように、インターネット１７を介して、モールへのビジタ１９に提供した景品ポイントに対応するポイント提供料の請求を行う。
【００５０】
なお、モールへのビジタ１９の商品検索の対象となる商品情報が提携会社モール２３で公開されている場合もある。この場合、ポータルサーバ１６は提携会社モール２３に対して、▲１▼で示すような商品検索、▲２▼で示すような商品発注、▲３▼で示すようなポイント提供料請求を、インターネット１７を介して行う。提携会社モール２３からは、インターネットを介してポータルサーバ１６に、商品情報提供が行われる。
【００５１】
ＤＡ会員１１は、スタジオ２１に用意された端末、または自らインターネット１７に接続した端末から、次に示すようなことを行うことができる。
モールサーバ１５へ    →発注内容の確認や商品の追加・変更
ライブラリサーバ１４へ→作品の追加・変更
ポータルサーバ１６へ  →コメント確認や、ライブラリ利用へのポイント提供
【００５２】
ＤＡ会員１１から作品や商品の追加や変更が行われると、ポータルサーバ１６へも通知される。ＤＡ会員１１は、作品や商品の追加や変更を行う際に、ポータルサーバ１６に対して、「※２」に示すように、作品・商品の追加・変更に伴う錠更新依頼も行う。ポータルサーバ１６は、ＤＡ会員１１から受けた作品・商品の追加・変更に伴う錠更新依頼を、支援サーバ２０に対して行う。また、提携会社モール２３で商品の追加や変更があるときも、提携会社モール２３から支援サーバ２０に、インターネット１７を介して、商品追加／変更に伴う錠更新依頼が行われる。支援サーバ２０から提携会社モール２３へは、インターネット１７を介して、錠更新手数料請求が行われる。
【００５３】
支援サーバ２０は、ポータルサーバ１６や提携会社モール２３から錠更新依頼を受けて錠更新を行うと、ライブラリサーバ１４や、モールサーバ１５、ポータルサーバ１６に対して、「※３」で示す(3a)〜(3e)の更新処理および請求を行う。
【００５４】
この支援サーバ２０からの処理で、ポータルサーバ１６は、インターネット１７を介してＤＡ会員１１に、「※１」で示すうちで、(1b)および(1c)の請求を行う。
【００５５】
以上説明したような構成を有するデジタルアトリエ１０では、ビジタ、すなわちライブラリへのビジタ１８およびモールへのビジタ１９は、公開されている展示情報を無料で利用することができる。さらに、ビジタは、一定の条件を満たす行為を行うことによって、景品ポイントが得られ、ポイント引換で景品を取得することも可能である。デジタルアトリエ１０へ作品や商品を公開するＤＡ会員１１や提携会社モール２３からは、利用料金を徴収する。利用料金は、展示情報の公開に必要な料金と、ポイント提供に対応する料金と、錠更新手数料と、スタジオやスクールの利用料とを含む。
【００５６】
図２は、図１のライブラリサーバ１４の役割分担を示す。ライブラリサーバ１４は、出展者ホームページ２４をライブラリとして公開するため、出展者ＨＰ／作品編集用認証管理テーブル１４ａを備え、ライブラリ管理処理１４ｂを行う。ライブラリ管理処理１４ｂでは、次のような処理を行う。
▲１▼出展者／作品登録更新
▲２▼認証テーブル登録更新
▲３▼出展者／作品番号による作品呼出
【００５７】
図３は、図１のモールサーバ１５の役割分担を示す。モールサーバ１５は、店舗ホームページ２５をモールとして公開するため、店舗／商品編集用認証管理テーブル１５ａを備え、モール管理処理１５ｂを行う。モール管理処理１５ｂでは、次のような処理を行う。
▲１▼店舗／商品登録更新
▲２▼認証テーブル登録更新
▲３▼店舗／商品番号による商品呼出
▲４▼店舗への発注登録
【００５８】
図４は、図１のポータルサーバ１６の役割分担を示す。ポータルサーバ１６は、インターネットを介してアクセスしてくるビジタへの入口となり、ＤＡ会員１１とビジタとを仲介する。ポータルサーバ１６には、ＤＡ会員１１を認証するためのＤＡ会員用認証管理テーブル１６ａを備え、ポータル管理処理１６ｂを行う。ポータル管理処理１６ｂでは、鍵管理テーブル２６ａ、鍵一時保管テーブル２６ｂ、鍵作成用追加アンケート一時テーブル２６ｃ、大・中・小カテゴリ番号テーブル２６ｄ、ライブラリポイント一時テーブル２６ｅ、錠管理テーブル２６ｆ、鍵と錠の対比管理テーブル２６ｇ、店舗・商品管理テーブル２６ｈ、出展者・作品管理テーブル２６ｉ、ポイント引換商品テーブル２６ｊ、使用候補鍵テーブル２６ｋ、組合せ候補鍵テーブル２６ｌ、中分類候補値テーブル２６ｍ、小分類候補値テーブル２６ｎ、候補対比表テーブル２６ｏ、候補商品テーブル２６ｐ、候補作品テーブル２６ｑ、引換候補商品テーブル２６ｒ、ポイント引換商品テーブル２６ｊを用いて、次のような処理を行う。なお、鍵一時保管テーブル２６ｂおよび鍵作成用追加アンケート一時テーブル２６ｃは、同一構成のテーブルを２つずつ備えている。また、大・中・小カテゴリ番号テーブル２６ｄは、大と中と小と、３段階のカテゴリ番号テーブルを備えている。
▲１▼ビジタの嗜好・要求を、鍵として作成
▲２▼複数の鍵を組合せ、新たな鍵を形成
▲３▼鍵と錠の対比表に基づき、鍵と錠を照合
▲４▼検索結果のビジタ提示、ビジタからの商品受注／コメント受取
▲５▼ポイント計算・商品引換、会員・提携会社モールへのポイント提供料請求
▲６▼出展者・店舗・作品・商品管理テーブル登録更新
【００５９】
図５は、図１のスタジオ２１に設けられる支援サーバ２０の役割分担を示す。支援サーバ２０は、ＤＡ会員１１が作品をライブラリに、商品をモールに展示するための支援を行う。支援サーバ２０には、ＤＡ会員１１を認証するためのＤＡ会員用認証管理テーブル２０ａを備え、ホームページ・店舗作成支援コンテンツ２８を利用してＤＡ会員１１に対する支援処理２０ｂを行う。ホームページ・店舗作成支援コンテンツ２８には、タイトル、壁紙、キャラクタ等が用意されている。支援処理２０ｂは、ＤＡ会員１１がスタジオ２１に備えられるデジタル入出力機器２１ａやアナログ入出力機器２１ｂ、支援サーバに直接接続されるＤＡ会員用端末２９ａ，２９ｂ等を利用することを通じて行うことができる。支援サーバ２０には、デジタルアトリエ１０側のスタッフが操作するＤＡスタッフ用端末２９ｃも接続されている。デジタル入出力機器２１ａには、ＣＤ／ＤＶＤレコーダ等が含まれる。アナログ入出力機器２１ｂには、アナログＶＴＲ等が含まれる。ＤＡ会員用端末２９ａ，２９ｂやＤＡスタッフ用端末２９ｃは、パソコン等が用いられる。
【００６０】
支援処理２０ｂでは、次のような処理を行う。
▲１▼ホームページ（作品）・店舗（商品）のアップロード
▲２▼出展者・店舗・作品・商品管理、編集用認証管理、錠管理テーブルの登録更新
▲３▼鍵と錠の対比管理テーブル登録更新
▲４▼アナログ入力データのデジタル変換、デジタルデータのアナログ出力変換
▲５▼スタジオ・スクール利用料、錠更新料請求
▲６▼支援コンテンツ登録更新
▲７▼支援コンテンツ利用
▲８▼コメント・発注内容の確認、ポイント提供（ライブラリ）
▲９▼作品・商品の追加・変更
【００６１】
なお、スタジオ２１に設けられるＤＡ会員用端末２９ａ，２９ｂからは、▲７▼〜▲９▼の操作のみが可能にしておく。ＤＡスタッフ用端末２９ｃからは、▲１▼〜▲７▼の操作のみが可能にしておく。また、ＤＡ会員１１は、インターネット１７を介しても支援サーバ２０から提供されるサービスを受けることができる。
【００６２】
従来の電子モール上で商品の検索を行う場合、「セータ」や「青色」など、商品のカテゴリや特徴を表すキーワードを入力してから行う必要がある。しかしながら、電子モールを利用する消費者側でキーワードをうまく想起することができなかったり、また消費者側で設定したキーワードが商品に含まれていなかったりする場合がある。また嗜好の異なる複数の消費者への共通の贈物といった複雑な用件を満たす商品の検索は、キーワードで行うことはできない。
【００６３】
本実施形態では、キーワードを消費者と商品双方で一致させるため、消費者の嗜好や商品の特性をそれぞれ適合させることができるようにデータ化する。特定の消費者の嗜好がデータ化されたものを「固有鍵」、特定の商品のカテゴリや特性がデータ化されたものを「固有錠」と呼ぶ。検索を行う場合、消費者の指定する商品のカテゴリの中から、「鍵」と「錠」との一致率が高いものを検索結果として出力する。
【００６４】
「鍵」は「固有鍵」以外に、任意に設定される嗜好がデータ化された「任意鍵」がある。「鍵」は複数組合せて新たな「合成鍵」を作ることも可能である。たとえばＡ，Ｂ，Ｃの３人の「固有鍵」と、「最近の流行」という「任意鍵」とを組合せ、この「合成鍵」で商品検索を行えば、３人の嗜好にあって、しかも最近の流行に沿った商品検索が可能となる。
【００６５】
また、自分の「固有鍵」と専門家の立場で提供する「任意鍵」とを合成することで、商品の買い物に変化を付けることができる。また、相手に喜ばれる贈物を探すために、相手の「固有鍵」を借りて商品を検索することもできる。さらに友人に自分の「固有鍵」を渡して、お目当ての物を探してもらうこともできる。
【００６６】
さらにグループでお互いに「固有鍵」を出し合い、共通のお気に入りの商品を探すこともできる。このように、従来にない買い物のスタイルが可能となり、特に情報通信ネットワークを介することでその真価を発揮させることができる。なお、消費者が鍵を作る際には、必要なデータを標準化しておき、その項目に対して好ましいか好ましくないかのいずれを答えるだけでよいようにしておく。また鍵を再利用する際には、最初の利用の際に発行したＩＤの認識が必要なだけであることから、キー入力が簡単で電話やテレビジョンなどキーボードを持たないネットワーク端末でも利用することが可能となる。
【００６７】
図６は、本実施形態での「鍵」の内容と関連するデータの例を示す。図６（ａ）は鍵のデータ構造を示し、図６（ｂ）は複数人の固有鍵を組合わせて得られる合成鍵の例を示し、図６（ｃ）はポータルサーバ１６に設けられる鍵管理テーブル２６ａ，鍵一時保管テーブル２６ｂ、使用候補鍵テーブル２６ｋ、および組合せ候補鍵テーブル２６ｌに共通な保管データの例を示す。
【００６８】
図６（ａ）に示す鍵の構造の内容は次のようになる。
0004750268.tif 000002
【００６９】
データ値は、乗算可能な場合、０であれば好ましくないことを表し、１であれば好ましいことを表す。データ種別Ａ、データ種別Ｂ、乗算許可、照合法、データ値の５つの値で、１つの嗜好・要求を表すデータブロックを形成する。任意の場合、ＩＤ（２）、ＩＤ（３）、パスワードおよびポイント数は０となる。ＩＤ（１）はライブラリ・モール番号を表す。０００はライブラリであり、００１はモールであり、０１０〜９９９は提携会社モールを表す。
【００７０】
ここでＡというモールへのビジタ１９を想定して、鍵の組合わせで商品を検索する例を示す。Ａの固有鍵は、図６（ａ）に示すようなデータ構造のうち、ＩＤやパスワード、鍵の名前で指定することができる。図６（ｂ）では、Ａ，Ｂ，Ｃの３人でパーティを開くことになり、全員に当たる小物景品を探すことになったと想定して、全員にとって好ましい商品を検索するための合成鍵を作成する考え方を示す。Ａの固有鍵は、図６（ａ）に示すデータ番号の１からｎまでに対応して、データ値が１か０かを示すように設定される。データ値が０であることは好ましくないことを表し、１は好ましいことを表す。図６（ｂ）に示すように、データ種別Ａおよびデータ種別Ｂの組合わせと、スケルトンデザイン、紫色、赤色、緑色などのデータ名とは、１：１に対応する。Ａ，Ｂ，Ｃの各「固有鍵」では、Ａは紫色は好まない、Ｂは白色は好まない、Ｃは嫌いな色なしであるとする。さらに任意鍵としてＤを設定して、夏の小物流行デザイン鍵であることから、紫色、赤色、および黒色は、検索対象外とする条件を付ける。鍵の合成では、乗算許可のデータ値が１であるので、固有鍵Ａ，Ｂ，Ｃと任意鍵Ｄとの間で、データ値の乗算を行う。図６（ｂ）では、スケルトンデザインまたは緑色という特性を検索する合成鍵が作成されている。
【００７１】
なお、ＡがＢ，Ｃの固有鍵を使用するためには、Ｂ，Ｃが既に固有鍵を有する場合は、鍵の名前についての情報を得ればよい。Ｂ，Ｃについての固有鍵がなければ、Ｂ，Ｃの嗜好内容に基づき、新たに作成することができる。贈答品などを選ぶようなときも、相手の固有鍵を嗜好内容に基づいて作成すればよい。
【００７２】
図７は、（ａ）でライブラリサーバ１４の出展者ホームページ２４やモールサーバ１５の店舗ホームページ２５に展示する作品や商品に付加する錠の構造を示し、（ｂ）で錠管理テーブル２６ｆの例を示す。錠のデータ構造の内容は、次に示すようになる。各データは、基本的には数値データである。データ種別Ａ、データ種別Ｂ、データ値の３つの値で、１つの特性を表すデータブロックを形成する。
0004750268.tif 000003
【００７３】
ｑの出展者・店舗番号、ｒの作品・商品番号、およびｓのカテゴリ番号の他に、ｔ，ｕのデータ種別Ａ，Ｂで指定される作品・商品カテゴリに属する作品・商品の特性の種類について、ｖのデータ値として、ｔ（１），ｕ（１），ｖ（１）…，ｔ（ｎ），ｕ（ｎ），ｖ（ｎ）のｎ値のデータが組合わされる。作品・商品の特性についてのデータ値は、たとえば商品について色や柄などの商品の特徴を表すデータである。商品特性のデータ値は０または１で表され、１はその特徴を有する場合で、０はその特徴を有していない場合を示す。
【００７４】
図８は、（ａ），（ｂ），（ｃ），（ｄ），（ｅ）で、ポータルサーバ１６に設けられる店舗・商品管理テーブル２６ｈ、出展者・作品管理テーブル２６ｉ、ライブラリポイント一時テーブル２６ｊ、候補商品テーブル２６ｐおよび候補作品テーブル２６ｑの内容の例をそれぞれ示す。ライブラリポイント一時テーブル２６ｊでは、ライブラリへのビジタ１８毎にポイントを管理する。ＤＡ会員１１は、ライブラリ番号、出展者番号、および作品番号を基にコメントを確認し、各コメントに対してポイントを提供する。
【００７５】
図９は、ポータルサーバ１６で利用する他のテーブルの構造を示す。図９（ａ）は、鍵と錠の対比管理テーブル２６ｇについて示す。図９（ｂ）は、鍵作成用追加アンケート一時テーブル２６ｃについて示す。図９（ｃ）は、ポイント引換商品テーブル２６ｊおよび引換候補商品テーブル２６ｒに共通な構造について示す。図９（ｄ）は、候補対比表テーブル２６ｏについて示す。図９（ｅ）は、引換商品テーブル２６ｓについて示す。鍵と錠の対比管理テーブル２６ｇおよび鍵作成用追加アンケート一時テーブル２６ｃで、照合法の欄に入っている「９」の値は、ビジタによる照合法の指定が必要なことを表す。
【００７６】
図１０は、ポータルサーバ１６に設けられる大・中・小カテゴリ番号テーブル２６ｄの例を示す。図１０（ａ），（ｂ），（ｃ）に示すように、カテゴリは大中小の３段階で分類されている。（ａ）は大カテゴリ番号テーブル、（ｂ）は中カテゴリ番号テーブル、（ｃ）は小カテゴリ番号テーブルの例を示す。（ｂ）は中分類候補値テーブル２６ｍ、（ｃ）は小分類候補値テーブル２６ｎの例でもある。
【００７７】
図１１は、本実施形態のデジタルアトリエ１０で開設する仮想ショッピングモールの運用形態を、図４３と対比させた形で示す。図４３に示す先行技術では、代行企業５が出店企業３に代ってホームページ上の商品情報の更新などを行い、出店企業３のホームページ運営代行を請負うものである。
【００７８】
本実施形態のデジタルアトリエ１０は、出店企業に相当するＤＡ会員１１が商品情報を公開する店舗ホームページ２５を開設することができるまでは、スクール２２での教授やコンテンツ供与等、支援を行う。店舗ホームページ２５の開設後は、出店企業（ＤＡ会員１１）が自ら商品情報の更新を行い、デジタルアトリエ１０は運営代行を請負わない。
【００７９】
デジタルアトリエ１０が店舗ホームページ２５の開設後に行う業務は、出店企業の商品情報がより多くの人に認知され、商品の発注に結びつけるようにするため支援である。つまり、鍵と錠の仕組みによる検索システムとポイント制度とを組合わせ、消費者と商品とを結び付けることにある。デジタルアトリエ１０が店舗ホームページ２５にアクセスする場合は、商品情報の呼出しと、発注情報の送信とに限られ、先行技術のように編集のためにアクセスすることはない。
【００８０】
図１２〜図２９は、本実施形態のデジタルアトリエ１０で、図６（ａ）に示すような構造の鍵と、図７に示すような構造の錠とに基づく照合によって商品を選択する処理手順を示す。鍵と錠との合致率は、予め用意するＯＫカウンタとＮＧカウンタとを用いて、後述するように算出する。処理の過程でポータルサーバ１６は、図４に示すテーブルの他にもテーブルやパラメータを使用する。
【００８１】
図１２のステップｓ０から手順を開始する。ステップｓ１で、ビジタがインターネット１７を介してポータルサーバ１６にアクセスし、ＩＤおよびパスワードを入力する。ステップｓ２では、ポータルサーバ１６に備えられ、図６（ｃ）に示すような鍵一時保管テーブル２６ｂから、ＩＤの入力値に一致するビジタＩＤに関連付されているデータをクリアする。なお、本実施形態では、鍵一時保管テーブル２６ｂは、同等のテーブルを２つ備える。ここでは、以下、第１のテーブルを対象として処理を行う。次にステップｓ３で、鍵管理テーブル２６ａの先頭に戻る。
【００８２】
ステップｓ４では、鍵管理テーブル２６ａより鍵を呼出す。鍵管理テーブル２６ａには、既に作成されている全ての鍵が登録されている。ステップｓ５では、鍵の最後か否かを判断する。鍵の最後でなければ、ステップｓ６で鍵の種類が「０」の固有鍵であるか否かを判断する。固有鍵と判断されるときは、ステップｓ７で、ＩＤおよびパスワードの入力値と、鍵に関連付けられているＩＤおよびパスワードとを比較する。比較の結果、等しいと判断されるときは、ステップｓ８で鍵一時保管テーブル２６ｂに登録し、ステップｓ４に戻り次の鍵を呼出す。ステップｓ６で鍵の種類が「０」ではないと判断されるとき、またはステップｓ７で入力値と鍵とでＩＤまたはパスワードが一致しないと判断されるときも、ステップｓ４で次の鍵を呼出す。
【００８３】
ステップｓ５で鍵管理テーブル２６ａに登録されている鍵の最後と判断されるときは、ステップｓ９に移る。ステップｓ９では、図８（ｃ）に示すライブラリポイント一時テーブル２６ｅの先頭に戻る。パラメータとしての追加ポイント数を０に初期化する。ステップｓ１０では、ライブラリポイント一時テーブル２６ｅからＩＤおよびポイント数を呼出す。ステップｓ１１では、ＩＤの最後か否かを判断する。最後でないと判断されるときは、ステップｓ１２でＩＤ入力値と呼出したＩＤとを比較する。比較の結果、等しいと判断されるときは、ステップｓ１３で追加ポイント数にライブラリポイント一時テーブル２６ｅから呼出したポイント数を加えてから、ステップｓ１０に戻り、次のＩＤおよびポイント数を呼出す。
【００８４】
ステップｓ１１でＩＤの最後であると判断されるときは、ステップｓ１４に移り、鍵一時保管テーブル２６ｂの先頭に戻る。ステップｓ１５では、鍵一時保管テーブル２６ｂから鍵を呼出す。ステップｓ１６では、鍵の最後か否かを判断する。鍵の最後でないと判断されるときは、ステップｓ１７で鍵一時保管テーブル２６ｂで呼出した鍵に対応するポイント数に、追加ポイント数を加算して登録する。次にステップｓ１５に戻り、次の鍵を呼出す。ステップｓ１６で鍵の最後と判断されるときは、ステップｓ１８に移り、鍵一時保管テーブル２６ｂに鍵があるか否かを判断する。鍵一時保管テーブル２６ｂに鍵がないときは、Ａ２で示すように、図１３のステップｓ２０に移る。
【００８５】
図１３のステップｓ２０では、ユーザ登録開始確認の入力を行う。ビジタが入力画面で「戻る」を選択すると、ステップｓ２１からＡ１で示すように、図１２のステップｓ１に戻る。ユーザが「戻る」を選択しないときは、ステップｓ２１からステップ２２に進み、鍵の名前の入力を行う。次にステップｓ２３で、鍵の種類を固有鍵を表す「０」に設定し、ＩＤおよびパスワードと、ポイント数＝０と、鍵の名前とを鍵一時保管テーブル２６ｂに新規鍵として登録する。
【００８６】
次にステップｓ２４で、ビジタが何を見るかの確認入力を行う。ステップｓ２５でライブラリが選択されているか否かを判断する。ライブラリが選択されれば、ステップｓ２５でパラメータとしてのＭＬ識別値を「０」に設定する。ステップｓ２５でライブラリが選択されないと判断されるときは、ステップｓ２７でＭＬ識別値を１に設定する。ステップｓ２６またはステップｓ２７でＭＬ識別値を設定した後は、ステップｓ２８でカテゴリ番号を入力する。ステップｓ２９では、番号が不明であるか否かを判断する。不明であると判断されるときは、Ａ５として示すように、図１７のステップｓ１３０に移る。ステップｓ２９で番号が不明でないと判断されるときは、ステップｓ３０で、ビジタが「戻る」を選択しているか否かを判断し、選択されていればステップｓ２４に戻る。ステップｓ３０で「戻る」が選択されていないと判断されるときは、ステップｓ４０に移る。
【００８７】
ステップｓ４０では、鍵一時保管テーブル２６ｂのうちで第２のテーブルのデータをクリアする。以下、鍵一時保管テーブル２６ｂは、第１および第２のテーブルの両方を使い分けて処理を行う。ステップｓ４１では、鍵一時保管テーブル２６ｂの第１のテーブルの先頭に戻る。ステップｓ４２では、鍵一時保管テーブル２６ｂの第１のテーブルから鍵を呼出す。ステップｓ４３では、鍵の最後か否かを判断する。最後ではないと判断されるときは、ステップｓ４４で鍵の種類が「０」であるか否かを判断する。種類が「０」の固有鍵と判断されるときは、ステップｓ４５で、ビジタのＩＤと鍵のＩＤとを比較する。比較の結果で一致していると判断されるときは、ステップｓ４６で鍵一時保管テーブル２６ｂの第２のテーブルに鍵を登録する。ステップｓ４４またはステップｓ４５で条件が成立しないとき、またはステップｓ４６の登録後は、ステップｓ４２に戻って、次の鍵の呼出しを行う。ステップｓ４３で鍵の最後と判断されるときは、ステップｓ４７に移る。
【００８８】
ステップｓ４７では、候補対比表テーブル２６ｏを設定し、データをクリアしておく。ステップｓ４８では、図９（ａ）に示す鍵と錠の対比管理テーブル２６ｇの先頭に戻る。ステップｓ４９で鍵と錠の対比管理テーブル２６ｇから、検索する作品・商品カテゴリ番号、鍵に必要なデータ種別Ａ、鍵に必要なデータ種別Ｂ、乗算許可、照合法、およびアンケート内容の各データを呼出す。ステップｓ５０では、鍵と錠の対比管理テーブル２６ｇ上のカテゴリ番号の最後か否かを判断する。最後でないと判断されるときは、ステップｓ５１でカテゴリ番号の入力値と鍵と錠の対比管理テーブル２６ｇ上のカテゴリ番号とを比較する。比較の結果、一致するときは、ステップｓ５２で候補対比表テーブル２６ｏへ、データ種別Ａ，Ｂ値、乗算許可値、照合法およびアンケート内容を登録する。ステップｓ５１でカテゴリ番号が一致しないと判断されるとき、またはステップｓ５２が終了したとき、ステップｓ４９に戻り、次のカテゴリ番号に移る。ステップｓ５０で、鍵と錠の対比管理テーブル２６ｇ上の次のカテゴリ番号が最後であると判断されるときは、Ａ７で示すように、図１４のステップｓ５３に移る。
【００８９】
図１４のステップｓ５３では、鍵一時保管テーブル２６ｂの第２のテーブルの先頭に戻る。次にステップｓ５４で、鍵一時保管テーブル２６ｂの第２のテーブルから鍵を呼出す。ステップｓ５５では、鍵の最後であるか否かを判断する。鍵の最後でないと判断されるときは、ステップｓ５６で、候補対比表テーブル２６ｏの先頭に戻る。ステップｓ５７では、候補対比表テーブル２６ｏより、データ種別Ａ，Ｂ、乗算許可値、照合法およびアンケート内容の呼出しを行う。ステップｓ５８では、候補対比表テーブル２６ｏの最後まで達しているか否かを判断する。最後と判断されるときは、ステップｓ５４に戻り、鍵一時保管テーブル２６ｂの第２のテーブルより次の鍵を呼出す。
【００９０】
ステップｓ５８で候補対比表テーブル２６ｏの最後でないと判断されるときは、ステップｓ５９で変数ｎをｎ＝１に設定する。次にステップｓ６０で、鍵のデータ種別Ａの最後であるか否かを判断する。最後でないと判断されるときは、ステップｓ６１で候補対比表テーブル２６ｏのデータ種別Ａと鍵のデータ種別Ａ（ｎ）とを比較する。比較の結果が一致と判断されるときは、ステップｓ６２で候補対比表テーブル２６ｏのデータ種別Ｂと鍵のデータ種別Ｂ（ｎ）とを比較する。一致しないと判断されるとき、またステップｓ６１で一致しないと判断されるとき、ステップｓ６３でパラメータｎの値を１だけ増加させ、ステップｓ６０に戻る。
【００９１】
ステップｓ６２で一致と判断されるときは、ステップｓ６４で、図９（ｂ）に示す鍵作成用追加アンケート一時テーブル２６ｃに、ＩＤ、データ種別Ａ，Ｂ値、鍵の乗算許可値、照合法、およびデータ値を登録する。なお、鍵作成用追加アンケート一時テーブル２６ｃには、２つのテーブルが備えられ、ステップｓ６４では、第２のテーブルを使用する。ステップｓ６０で、鍵のデータ種別Ａの最後と判断されるときは、ステップｓ６５で、鍵作成用追加アンケート一時テーブル２６ｃの第１のテーブルに、ＩＤ、候補対比表テーブル２６ｏのデータ種別Ａ，Ｂ値、鍵の乗算許可値、照合法、およびデータ値を登録する。ステップｓ６４またはステップｓ６５が終了すると、ステップｓ５７に移り、候補対比表テーブル２６ｏで次のデータを呼出す。
【００９２】
ステップｓ５５で鍵の最後と判断されるときは、ステップｓ６６に移り、鍵作成用追加アンケート一時テーブル２６ｃの第２のテーブルにデータがあるか否かを判断する。データがあれば、Ａ８で示すように、図１５のステップｓ６９に移る。ステップｓ６６でデータがないと判断されるときは、ステップｓ６７で、鍵一時保管テーブル２６ｂの第２のテーブルおよび候補対比表テーブル２６ｏのデータをクリアする。ステップｓ６８では、鍵作成用追加アンケート一時テーブル２６ｃの第１のテーブルにデータがあるか否かを判断する。ステップｓ６８でデータがないと判断されれば、Ａ１０で示すように、図１９のステップｓ１８０に移る。ステップｓ６８でデータがあると判断されれば、Ａ１１で示すように、図１８のステップｓ１６０に移る。
【００９３】
図１５は、図１４のステップｓ６６で鍵作成用追加アンケート一時テーブル２６ｃの第２のテーブルにデータがあると判断されるときの手順を示す。ステップｓ６９では、鍵一時保管テーブル２６ｂの第２のテーブルの先頭に戻る。ステップｓ７０では、鍵一時保管テーブル２６ｂの第２のテーブルから鍵を呼出す。ステップｓ７１では、鍵の最後か否かを判断する。最後でないと判断されれば、ステップｓ７２で、鍵作成用追加アンケート一時テーブル２６ｃの第２のテーブルの先頭に戻る。ステップｓ７３では、鍵作成用追加アンケート一時テーブル２６ｃの第２のテーブルから、ＩＤ、データ種別Ａ，Ｂ値、乗算許可値、照合法、およびデータ値を呼出す。ステップｓ７４では、鍵作成用追加アンケート一時テーブル２６ｃの第２のテーブルの最後か否かを判断する。最後であれば、ステップｓ７０に戻り、次の鍵を呼出す。ステップｓ７４で最後でないと判断されるときは、ステップｓ７５で、ビジタＩＤの入力値と鍵作成用追加アンケート一時テーブル２６ｃの第２のテーブル上のビジタＩＤとを比較する。一致しなければ、ステップｓ７０に戻り、次の鍵を呼出す。
【００９４】
ステップｓ７５でビジタＩＤが一致していると判断されるときは、ステップｓ７６でパラメータｎを，ｎ＝１に設定し、ステップｓ７７で鍵のデータ種別Ａ（ｎ）は最後か否かを判断する。最後でないと判断されれば、ステップｓ７８で鍵作成用追加アンケート一時テーブル２６ｃの第２のテーブルのデータ種別Ａと鍵のデータ種別Ａ（ｎ）とを比較する。比較の結果一致していると判断されれば、ステップｓ７９で、鍵作成用追加アンケート一時テーブル２６ｃの第２のテーブルのデータ種別Ｂと鍵のデータ種別Ｂ（ｎ）とを比較する。比較の結果一致していないと判断されるとき、またはステップｓ７８で一致していないと判断されれば、ステップｓ８０で、パラメータｎの値を１だけ増加させ、ステップｓ７７に戻る。ステップｓ７７でデータ種別Ａ（ｎ）が最後と判断されるときは、ステップｓ８１で、鍵作成用追加アンケート一時テーブル２６ｃの第２のテーブルから、ＩＤ、データ種別Ａ，Ｂ値、乗算許可値、照合法、およびデータ値を鍵一時保管テーブル２６ｂの第２のテーブルの鍵に登録する。ステップｓ７９で比較結果が一致すると判断されるとき、またはステップｓ８１の登録が終了した後は、ステップｓ７３で次のデータを呼出す。
【００９５】
ステップｓ７１で鍵の最後と判断されるときは、ステップｓ８２で、鍵作成用追加アンケート一時テーブル２６ｃの第１および第２のテーブルより、ビジタＩＤ、データ種別Ａ，Ｂ値、乗算許可値、照合法、データ値、およびアンケート内容を呼出し、呼出したビジタＩＤとビジタＩＤの入力値とが一致するデータをクリアする。次に、ステップｓ８３で、鍵一時保管テーブル２６ｂの第２のテーブルの先頭に戻る。ステップｓ８４では、鍵一時保管テーブル２６ｂの第２のテーブルから鍵を呼出す。ステップｓ８５では、候補対比表テーブル２６ｏの先頭に戻る。
【００９６】
次にステップｓ８６で、候補対比表テーブル２６ｏより、データ種別Ａ，Ｂ値、乗算許可値、照合法およびアンケート内容を呼出す。ステップｓ８７では、候補対比表テーブル２６ｏの最後か否かを判断する。最後と判断されるときは、Ａ９で示すように、図１４のステップｓ６７に戻る。ステップｓ８７で最後でないと判断されるときは、ステップｓ８８でパラメータｎをｎ＝１に設定する。次にステップｓ８９で、鍵のデータ種別Ａ（ｎ）の最後か否かを判断する。最後でなければ、ステップｓ９０で、候補対比表テーブル２６ｏのデータ種別Ａと鍵のデータ種別Ａ（ｎ）とを比較する。比較の結果、一致していると判断されれば、ステップｓ９１で、候補対比表テーブル２６ｏのデータ種別Ｂと鍵のデータ種別Ｂ（ｎ）とを比較する。比較の結果、一致していないと判断されるとき、またはステップｓ９０で一致していないと判断されるときは、ステップｓ９２でｎの値を１だけ増加させ、ステップｓ８９に戻る。
【００９７】
ステップｓ８９で鍵のデータ種別Ａ（ｎ）が最後だと判断されるときは、ステップｓ９３に移る。ステップｓ９３では、鍵作成用追加アンケート一時テーブル２６ｃの第１のテーブルに、ＩＤと、候補対比表テーブル２６ｏのデータ種別Ａ，Ｂ値、乗算許可値、照合法、データ値、およびアンケート内容とを登録する。ステップｓ９１で一致していると判断されるとき、またはステップｓ９３での登録が終了すると、ステップｓ８６に戻り、次のデータを呼出す。
【００９８】
図１６は、図１２のステップｓ１８で鍵一時保管テーブル２６ｂの第１のテーブルに鍵があると判断される場合の処理手順を示す。ステップｓ１００では、鍵一時保管テーブル２６ｂの第１のテーブルの先頭に戻る。ステップｓ１０１では、鍵一時保管テーブル２６ｂの第１のテーブルから鍵を呼出す。ステップｓ１０２では、鍵の種類が固有鍵を表す「０」であるか否かを判断する。鍵の種類が「０」であれば、ステップｓ１０３で、ビジタＩＤと鍵のＩＤとを比較する。一致していないとき、またはステップｓ１０２で鍵の種類が「０」でないと判断されるときは、ステップｓ１０１に戻り、次の鍵を呼出す。ステップｓ１０３で、一致していると判断されるとき、ステップｓ１０４で、鍵のポイント数を呼出す。ステップｓ１０５では、ポイント引換えを行うか否かをビジタに確認するポイント引換確認入力を行う。ステップｓ１０６では、ポイント引換確認入力が行われたか否かを判断する。行われていないと判断されるときは、ステップｓ１０７で、「戻る」が選択されたか否かを判断する。選択されたと判断されるときは、Ａ１で示すように、図１２のステップｓ１に戻る。「戻る」が選択されていないと判断されるときは、Ａ１２で示すように、図１３のステップｓ２４に戻る。
【００９９】
ステップｓ１０６で、ポイント引換確認入力が行われたと判断されるときは、ステップｓ１０８で、図９（ｃ）に示す引換候補商品テーブル２６ｒのデータエリアをクリアする。ステップｓ１０９では、ポイント引換商品テーブル２６ｊの先頭に戻る。次にステップｓ１１０で、ポイント引換商品テーブル２６ｊから、商品名と必要ポイント数とを呼出す。ステップｓ１１１では、商品名の最後か否かを判断する。最後でないと判断するときには、ステップｓ１１２で、鍵のポイント数と必要ポイント数とを比較する。鍵のポイント数≧必要ポイント数のときには、ステップｓ１１３で、引換候補商品テーブル２６ｒへ必要ポイント数と商品名とを登録する。登録が終了した後、またはステップｓ１１２で鍵のポイント数＜必要ポイント数となっているときは、ステップｓ１１０に戻り、次のデータを呼出す。
【０１００】
ステップｓ１１１で、商品名の最後と判断するときは、ステップｓ１１４で引換候補商品テーブル２６ｒの先頭へ戻る。次のステップｓ１１５では、引換候補商品テーブル２６ｒより商品を呼出す。ステップｓ１１６では、どの商品を引換えるのかをビジタに確認する入力を行う。ステップｓ１１７では、ビジタが「戻る」を選択しているか否かを判断し、選択していると判断するときは、ステップｓ１００に戻る。ステップｓ１１７でビジタが「戻る」を選択していないと判断されるときは、ステップｓ１１８で、ビジタから送り先住所、氏名等を確認入力してもらう。ステップｓ１１９では、引換商品テーブル２６ｓへ、ＩＤ、入力された商品名、送り先住所、氏名等を登録する。ステップｓ１２０では、引換候補商品テーブル２６ｒのデータをクリアする。ステップｓ１２１では、鍵のポイント数から引換商品の必要ポイント数を差引いて、残りを新たな鍵のポイント数とする。ステップｓ１２２では、鍵一時保管テーブル２６ｂの第１のテーブルの先頭に戻る。
【０１０１】
ステップｓ１２３では、鍵一時保管テーブル２６ｂの第１のテーブルから鍵を呼出す。ステップｓ１２４では、鍵の最後か否かを判断する。最後でなければ、ステップｓ１２５で鍵の種類が固有鍵を表す「０」であるか否かを判断する。鍵の種類が「０」であるときは、ステップｓ１２６で、ビジタＩＤと鍵のＩＤとが一致しているか否かを判断する。一致していると判断されるときは、ステップｓ１２７で、ステップｓ１２１で求められた新たなポイント数を鍵に登録する。ステップｓ１２７が終了した後、またはステップｓ１２５で鍵の種類が「０」でないと判断されたり、ステップｓ１２６でＩＤが一致していないと判断されたときは、ステップｓ１２３に戻り、次の鍵を呼出す。ステップｓ１２４で鍵の最後と判断されるときは、ステップｓ１００に戻る。
【０１０２】
図１７は、図１３のステップｓ２９で、カテゴリ番号が不明と判断される場合の処理手順を示す。ステップｓ１３０では、大・中・小カテゴリ番号テーブル２６ｄのうち、図１０（ａ）に示す大カテゴリ番号テーブルの先頭に戻る。ステップｓ１３１では、大カテゴリ番号テーブルより、大分類と大カテゴリとを呼出す。ステップｓ１３２では、大分類の最後か否かを判断する。最後でないと判断されるときは、ステップｓ１３１に戻り、次の大分類を呼出す。ステップｓ１３２で大分類の最後と判断されるときは、ステップｓ１３３でビジタが大分類を選択して確認する大分類の確認入力を行う。ステップｓ１３４では、ビジタが「戻る」を選択していないかを判断する。「戻る」を選択しているときは、Ａ４で示しているように、図１３のステップｓ２８に戻る。
【０１０３】
ステップｓ１３４でビジタが「戻る」を選択していないと判断されるときは、ステップｓ１３５で、中分類候補値テーブル２６ｍのデータをクリアする。ステップｓ１３６では、大・中・小カテゴリ番号テーブル２６ｄのうち、図１０（ｂ）に示す中カテゴリ番号テーブルの先頭に戻る。ステップｓ１３７では、中カテゴリ番号テーブルより、大・中分類と、カテゴリ名とを呼出す。ステップｓ１３８では、呼出した中分類が最後か否かを判断する。最後でないと判断されるときは、ステップｓ１３９で、大分類の入力値とテーブル上の大分類とを比較する。比較の結果、一致していると判断されるときは、ステップｓ１４０で、中分類候補値テーブル２６ｍへ大分類・中分類・カテゴリ名を登録する。ステップｓ１４０の登録が終了した後、またはステップｓ１３９で大分類が一致しないと判断されるときは、ステップｓ１３７に戻り、次のデータを呼出す。
【０１０４】
ステップｓ１３８で、中分類の最後と判断されるときは、ステップｓ１４１で、中分類候補値テーブル２６ｍ先頭に戻る。次のステップｓ１４２では、中分類候補値テーブル２６ｍから、大分類・中分類・カテゴリ名を呼出す。ステップｓ１４３では、ビジタが中分類を選択して確認する中分類の確認入力を行う。ステップｓ１４４では、ビジタが「戻る」を選択していないかを判断する。「戻る」を選択しているときは、ステップｓ１３０に戻る。
【０１０５】
ステップｓ１４４でビジタが「戻る」を選択していないと判断されるときは、ステップｓ１４５で、小分類候補値テーブル２６ｎのデータをクリアする。ステップｓ１４６では、大・中・小カテゴリ番号テーブル２６ｄのうち、図１０（ｃ）に示す小カテゴリ番号テーブルの先頭に戻る。ステップｓ１４７では、小カテゴリ番号テーブルより、大・中・小分類と、カテゴリ名とを呼出す。ステップｓ１４８では、呼出した小分類が最後か否かを判断する。最後でないと判断されるときは、ステップｓ１４９で、大分類の入力値とテーブル上の大分類とを比較する。比較の結果、一致していると判断されるときは、ステップｓ１５０で、中分類の入力値とテーブル上の中分類とを比較する。比較の結果、一致していると判断されるときは、ステップｓ１５１で、小分類候補値テーブル２６ｎへ大分類・中分類・小分類・カテゴリ名を登録する。ステップｓ１５１の登録が終了した後、またはステップｓ１４９またはステップｓ１５０で大分類または中分類がそれぞれ一致しないと判断されるときは、ステップｓ１４７に戻り、次のデータを呼出す。
【０１０６】
ステップｓ１４８で小分類の最後と判断されるときは、ステップｓ１５２で小分類候補値テーブル２６ｎの先頭に戻る。次のステップｓ１５３では、小分類候補値テーブル２６ｎより、大・中・小分類およびカテゴリ名を呼出す。ステップｓ１５４では、ビジタが小分類を選択して確認する小分類の確認入力を行う。ステップｓ１５５では、大分類、中分類、および小分類の入力値をカテゴリ番号として登録する。次にステップｓ１５６で、中分類候補値テーブル２６ｍおよび小分類候補値テーブル２６ｎのデータエリアをそれぞれクリアする。次にＡ６で示すように、図１３のステップｓ４０に戻る。
【０１０７】
図１８は、図１４のステップｓ６８で、鍵作成用追加アンケート一時テーブル２６ｃの第１のテーブルにデータがあると判断するときの処理手順を示す。ステップｓ１６０では、鍵作成用追加アンケート一時テーブル２６ｃの第１のテーブルの先頭に戻る。ステップｓ１６１では、鍵作成用追加アンケート一時テーブル２６ｃの第１のテーブルから、ＩＤ、データ種別Ａ，Ｂ値、乗算許可値、照合法、およびアンケート内容を呼出す。ステップｓ１６２では、鍵作成用追加アンケート一時テーブル２６ｃの第１のテーブルの最後か否かを判断する。
【０１０８】
最後でないと判断されるときは、ステップｓ１６３で、ビジタＩＤの入力値とテーブル上のビジタＩＤとを比較する。比較結果が一致していれば、ステップｓ１６４で、ビジタに、アンケートに対応したデータ値を入力してもらうように促して、データ値入力を行う。次に、ステップｓ１６５で、照合法がビジタによる指定が必要な「９」であるか否かを判断する。「９」であると判断されるときは、ステップｓ１６６で、ビジタに、照合法を入力してもらうように促して、照合法確認入力を行う。「９」でないと判断されるときは、ステップｓ１６７に移る。次のステップｓ１６７では、鍵一時保管テーブル２６ｂの第１のテーブルの先頭に戻る。ステップｓ１６３で一致しないと判断されるときは、ステップｓ１６１に戻り、次のデータを呼出す。
【０１０９】
ステップｓ１６８では、鍵一時保管テーブル２６ｂの第１のテーブルにある鍵を呼出す。ステップｓ１６９では、鍵の最後であるか否かを判断する。最後であると判断されるときは、ステップｓ１６１に戻り、次のデータを呼出す。最後でないと判断されるときは、ステップｓ１７０で、鍵の種類が固有鍵を表す「０」に一致するか否かを判断する。鍵の種類が「０」に一致すれば、ステップｓ１７１でビジタＩＤと鍵ＩＤとが一致するか否かを判断する。一致すると判断されるときは、ステップｓ１７２でデータ種別Ａ，Ｂ値、乗算許可値、入力データ値および照合法を鍵に登録する。ステップｓ１７２の終了後、またはステップｓ１７０とステップｓ１７１とで一致しないと判断されるとき、ステップｓ１６８に戻り、次の鍵を呼出す。ステップｓ１６２で、鍵作成用追加アンケート一時テーブル２６ｃの第１のテーブルの最後と判断されるときは、ステップｓ１７３で、鍵作成用追加アンケート一時テーブル２６ｃの第１のテーブルより、ＩＤの入力値に一致するビジタＩＤに関連付けされたデータをクリアする。次に、Ａ１０で示すように、図１９のステップｓ１８０に移る。
【０１１０】
図１９のステップｓ１８０では、モールの利用かライブラリの利用かを識別するために設けるＭＬ識別値を、ライブラリの利用を表す「０」と比較する。一致しないと判断されるときは、ステップｓ１８１で、ビジタに予算を入力することを促して、予算入力を行う。ステップｓ１８２では、予算入力値を予算値に登録する。ステップｓ１８２で予算を登録した後、またはステップｓ１８１でＭＬ識別値がライブラリの利用を示す「０」の値に一致していると判断されるときは、ステップｓ１８３に移る。
【０１１１】
ステップｓ１８３では、ビジタに鍵を使わないか否かを確認するように促して、入力を行う。ステップｓ１８４で鍵を使わないことが入力されていると判断されれば、Ａ１４として示すように、図２０のステップｓ２１０に移る。ステップｓ１８４で鍵を使うと判断されるときは、ステップｓ１８５で「戻る」が選択されているか否かを判断する。「戻る」が選択されていれば、ステップｓ１８１に戻る。ステップｓ１８５で「戻る」が選択されていないと判断されるときは、ステップｓ１８６で、ビジタに、自分の鍵を使うか否かを確認するように促して、入力を行う。ステップｓ１８７で他の鍵を使うと判断されるときは、Ａ１６で示すように、図２３のステップｓ２９０に移る。
【０１１２】
ステップｓ１８７で他の鍵を使わないと判断されるときは、ステップｓ１８８で「戻る」が選択されているか否かを判断する。「戻る」が選択されていれば、ステップｓ１８３に戻る。ステップｓ１８８で「戻る」が選択されていないと判断されるときは、ステップｓ１８９で、使用候補鍵テーブル２６ｋのデータをクリアする。ステップｓ１９０では、鍵一時保管テーブル２６ｂの第１のテーブルの先頭に戻る。ステップｓ１９１では、鍵一時保管テーブル２６ｂの第１のテーブルから鍵を呼出す。ステップｓ１９２では、鍵の最後であるか否かを判断する。最後でないと判断されるときは、ステップｓ１９３で鍵の種類が固有鍵を表す「０」であるか否かを判断する。鍵の種類が「０」のときは、ステップｓ１９４でビジタＩＤと鍵ＩＤとを比較する。ＩＤが一致していれば、ステップｓ１９５で使用候補鍵テーブル２６ｋへ鍵を登録する。ステップｓ１９５の終了後、またはステップｓ１９３で鍵の種類が「０」でないと判断されるかステップｓ１９４でＩＤが一致しないと判断されるとき、ステップｓ１９１に戻り、次の鍵を呼出す。
【０１１３】
ステップｓ１９２で、鍵の最後と判断されるときは、ステップｓ１９６で使用候補鍵テーブル２６ｋの先頭に戻る。ステップｓ１９７では、使用候補鍵テーブル２６ｋより鍵を呼出す。次にステップｓ１９８に移り、ビジタにどの鍵を使うのかを促すための確認入力を行う。ステップｓ１９９では、ビジタが「戻る」を選択しているか否かを判断し、選択していれば、ステップｓ１８６に戻る。ステップｓ１９９で「戻る」が選択されていないと判断されるときは、ステップｓ２００で入力された鍵を検索鍵として登録する。
【０１１４】
ステップｓ２０１では、ビジタに鍵を削除するか否かの判断を促して、確認入力を行う。ステップｓ２０２では、ビジタによって削除が選択されているか否かを判断する。削除が選択されていると判断されるときは、ステップｓ２０３で、候補鍵は１つであるか否かを判断する。候補鍵が１つであれば、ステップｓ１９８に戻る。ステップｓ２０３で候補鍵が複数あれば、ステップｓ２０４で鍵一時保管テーブル２６ｂの第１のテーブルと、鍵管理テーブル２６ａとの両方のテーブルから入力鍵を削除し、ステップｓ１９０に戻る。ステップｓ２０２で削除が選択されていないと判断されるときは、ステップｓ２０５で、ビジタが「戻る」を選択しているか否かを判断し、選択していれば、ステップｓ１９８に戻る。ステップｓ２０５で「戻る」が選択されていないと判断されるときは、ステップｓ２０６で、ビジタに鍵を組合せるか否かの確認を促す入力を行う。ステップｓ２０７で鍵組合わせを選択していると判断されるときは、Ａ１８で示すように、図２４のステップｓ３１０に移る。ステップｓ２０７で、組合せが選択されていないと判断されるときは、ステップｓ２０８で使用候補鍵テーブル２６ｋのデータをクリアし、Ａ１９で示すように、図２６のステップｓ３７０に移る。
【０１１５】
図２０は、図１９のステップｓ１８４で鍵を使わないと確認された後の処理手順を示す。ステップｓ２１０では、ＭＬ識別値がライブラリを表す「０」であるか否かを判断する。ＭＬ識別値が「０」であれば、Ａ２０で示すように、図２１のステップｓ２３７に移る。ステップｓ２１０でＭＬ識別値が「０」でないと判断されるときは、ステップｓ２１１で、候補商品テーブル２６ｐのデータをクリアする。ステップｓ２１２では、図８（ａ）に示す店舗・商品管理テーブル２６ｈの先頭に戻る。ステップｓ２１３では、店舗・商品管理テーブル２６ｈより、モール番号、店舗番号、店舗名、商品番号、商品名、カテゴリ番号、単価および商品ページアドレスを呼出す。ステップｓ２１４では、カテゴリ番号の最後か否かを判断する。最後でないと判断されるときは、ステップｓ２１５で、カテゴリ番号の入力値とテーブル上のカテゴリ番号とを比較する。比較の結果が一致すれば、ステップｓ２１６で、予算値とテーブル上の単価とを比較する。予算値≧単価であれば、ステップｓ２１７で、候補商品テーブル２６ｐに、モール番号、店舗番号、店舗名、商品番号、商品名、単価および商品ページアドレスを登録する。ステップｓ２１７での登録の終了後、またはステップｓ２１５で一致しないと判断されるとき、ステップｓ２１６で予算値＜単価であるときは、ステップｓ２１３に戻り、次のデータを呼出す。
【０１１６】
ステップｓ２１４でカテゴリ番号の最後と判断されるときは、ステップｓ２１８で、候補商品テーブル２６ｐ先頭に戻る。ステップｓ２１９では、候補商品テーブル２６ｐより、モール番号、店舗番号、店舗名、商品番号、商品名、単価および商品ページアドレスを呼出す。ステップｓ２２０では、候補商品を店舗番号順に並べ替える。次のステップｓ２２１では、ビジタにモール番号および店舗番号を確認して入力するように促す確認入力を行う。ステップｓ２２２で、ビジタが「戻る」を入力したと判断されるときは、Ａ１３で示すように、図１９のステップｓ１８３に戻る。ステップｓ２２２で「戻る」が選択されていないと判断されるときは、ステップｓ２２３で、ビジタに商品番号を確認して入力するように促す確認入力を行う。ステップｓ２２４で「戻る」が選択されていれば、ステップｓ２２１に戻る。ステップｓ２２４で「戻る」が選択されていなければ、ステップｓ２２５に移る。
【０１１７】
ステップｓ２２５では、ビジタに商品番号で入力された商品を注文するように促して、確認入力を行う。ステップｓ２２６で、ビジタが終了を選択したと判断されるときは、ステップｓ２２７で、鍵一時保管テーブル２６ｂの第１のテーブルより、ビジタＩＤに関連付けされた鍵、検索鍵、候補商品テーブル２６ｐ、予算値、ＭＬ種別値のデータをクリアする。次に、Ａ１で示すように、図１２のステップｓ１に戻る。ステップｓ２２６でビジタが「終了」を選択していないときは、ステップｓ２２８で、ビジタが他の商品を探すことを選択しているか否かを判断する。選択していれば、ステップｓ２２９で候補商品テーブル２６ｐ、検索鍵、予算値、およびＭＬ識別値のデータをクリアする。次に、Ａ１２で示すように、図１４のステップｓ２４に戻る。
【０１１８】
ステップｓ２２８で、他の商品を探すを選択していないと判断されるときは、ステップｓ２３０で、ビジタが「戻る」を選択しているか否かを判断する。選択していると判断されるときは、Ａ２１で示すように、ステップｓ２２３に戻る。ステップｓ２３０で「戻る」が選択されていないと判断されるときは、ステップｓ２３１で「見る」が選択されているか否かを判断する。選択されていると判断されるときは、ステップｓ２３２で、候補商品テーブル２６ｐより、モール番号、店舗番号、商品番号、各入力値に関連付けられた商品ページアドレスを呼出す。次に、ステップｓ２３３で、ビジタに商品閲覧ができたことを確認するための確認入力を行い、ステップｓ２２５に戻る。ステップｓ２３１で「見る」を選択していないと判断されると、ステップｓ２３４では、ビジタに住所、氏名、支払方法等を確認するための確認入力を行う。次にステップｓ２３５で「戻る」が選択されていれば、ステップｓ２２５に戻り、「戻る」が選択されていなければ、ステップｓ２３６で発注フォームに、モール番号、店舗番号、店舗名、商品番号、商品名、単価、数量、住所、氏名、支払方法等を登録する。次に、Ａ２２で示すように、図２２のステップｓ２７０に移る。
【０１１９】
図２１は、図２０のステップｓ２１０でＭＬ識別値が「０」と判断されるときの処理手順を示す。ステップｓ２３７で、候補作品テーブル２６ｑのデータをクリアする。ステップｓ２３８では、図８（ｂ）に示す出展者・作品管理テーブル２６ｉの先頭に戻る。ステップｓ２３９では、出展者・作品管理テーブル２６ｉより、ライブラリ番号、出展者番号、出展者名、作品番号、作品名、カテゴリ番号、および作品ページアドレスを呼出す。ステップｓ２４０では、カテゴリ番号の最後か否かを判断する。最後でないと判断されるときは、ステップｓ２４１で、カテゴリ番号の入力値とテーブル上のカテゴリ番号とを比較する。比較の結果が一致すれば、ステップｓ２４２で、候補作品テーブル２６ｑに、ライブラリ番号、出展者番号、出展者名、作品番号、作品名、および作品ページアドレスを登録する。ステップｓ２４２での登録の終了後、またはステップｓ２４１で一致しないと判断されるとき、ステップｓ２３９に戻り、次のデータを呼出す。
【０１２０】
ステップｓ２４０でカテゴリ番号の最後と判断されるときは、ステップｓ２４３で、候補作品テーブル２６ｑ先頭に戻る。ステップｓ２４４では、候補作品テーブル２６ｑより、ライブラリ番号、出展者番号、出展者名、作品番号、作品名、および作品ページアドレスを呼出す。ステップｓ２４５では、候補作品を出展者番号順に並べ替える。次のステップｓ２４６では、ビジタにライブラリ番号および作品番号を確認して入力するように促す確認入力を行う。ステップｓ２４７で、ビジタが「戻る」を入力したと判断されるときは、Ａ１３で示すように、図１９のステップｓ１８３に戻る。ステップｓ２４７で「戻る」が選択されていないと判断されるときは、ステップｓ２４８で、ビジタに作品番号を確認して入力するように促す確認入力を行う。ステップｓ２４９で「戻る」が選択されていれば、ステップｓ２４６に戻る。ステップｓ２４９で「戻る」が選択されていなければ、ステップｓ２５０に移る。
【０１２１】
ステップｓ２５０では、ビジタに作品についてのコメントを残すように促して、確認入力を行う。ステップｓ２５１で、ビジタが終了を選択したと判断されるときは、ステップｓ２５２で、鍵一時保管テーブル２６ｂの第１のテーブルより、ビジタＩＤに関連付けされた鍵、検索鍵、候補作品テーブル、予算値、ＭＬ識別値のデータをクリアする。次に、Ａ１で示すように、図１２のステップｓ１に戻る。ステップｓ２５１でビジタが「終了」を選択していないときは、ステップｓ２５３で、ビジタが他の作品を探すことを選択しているか否かを判断する。選択していれば、ステップｓ２５４で候補作品テーブル、検索鍵、予算値、およびＭＬ識別値のデータをクリアする。次に、Ａ１２で示すように、図１３のステップｓ２４に戻る。
【０１２２】
ステップｓ２５３で、他の作品を探すを選択していないと判断されるときは、ステップｓ２５５で、ビジタが「戻る」を選択しているか否かを判断する。選択していると判断されるときは、ステップｓ２４８に戻る。ステップｓ２５５で「戻る」が選択されていないと判断されるときは、ステップｓ２５６で「見る」が選択されているか否かを判断する。選択されていると判断されるときは、ステップｓ２５７で、候補作品テーブルより、ライブラリ番号、出展者番号、作品番号、各入力値に関連付けられた作品ページアドレスを呼出す。次に、ステップｓ２５８で、ビジタに作品閲覧ができたことを確認するための確認入力を行い、ステップｓ２５０に戻る。ステップｓ２５６で「見る」を選択していないと判断されると、ステップｓ２５９では、ビジタにコメントを入力させる。ステップｓ２６０で、ビジタが「戻る」を選択したと判断されれば、ステップｓ２５０に戻る。ステップｓ２６０で「戻る」が選択されていないと判断されれば、ステップｓ２６１で、ライブラリ番号、出展者番号、作品番号、コメント入力値を、図８（ｃ）に示すライブラリポイント一時テーブル２６ｅに登録する。次にステップｓ２６２で、ビジタに他作品を探すか否かを確認する確認入力を行う。ステップｓ２６３で「探す」を選択しているか否かを確認し、選択されていれば、Ａ２３で示すように、ステップｓ２５４に戻る。「探す」が選択されていなければ、ステップｓ２５２に戻る。
【０１２３】
図２２は、図２０のステップｓ２３６に続く、商品の発注に伴う処理手順を示す。ステップｓ２７０では、鍵一時保管テーブル２６ｂの第１のテーブルの先頭に戻る。ステップｓ２７１では、鍵一時保管テーブル２６ｂの第１のテーブルから鍵を呼出す。ステップｓ２７２では、鍵の種類が固有鍵を表す「０」であるか否かを判断する。鍵の種類が「０」であれば、ステップｓ２７３で、ビジタＩＤと鍵のＩＤとを比較する。一致していないとき、またはステップｓ２７２で鍵の種類が「０」でないと判断されるときは、ステップｓ２７１に戻り、次の鍵を呼出す。ステップｓ２７３で、一致していると判断されるとき、ステップｓ２７４で、鍵のポイント数を呼出す。ステップｓ２７５では、鍵のポイント数に商品発注ポイント数を加え、新たな鍵のポイント数とする。ステップｓ２７６では、発注フォームを店舗へ送信し、ポイント提供料を請求する。ステップｓ２７７では、鍵一時保管テーブル２６ｂの第１のテーブルの先頭に戻る。
【０１２４】
ステップｓ２７８では、鍵一時保管テーブル２６ｂの第１のテーブルから鍵を呼出す。ステップｓ２７９では、鍵の最後か否かを判断する。最後でなければ、ステップｓ２８０で鍵の種類が固有鍵を表す「０」であるか否かを判断する。鍵の種類が「０」であるときは、ステップｓ２８１で、ビジタＩＤと鍵のＩＤとが一致しているか否かを判断する。一致していると判断されるときは、ステップｓ２８２で、ステップｓ２７５で求められた新たなポイント数を鍵に登録する。ステップｓ２８２が終了した後、またはステップｓ２８０で鍵の種類が「０」でないと判断されたり、ステップｓ２８１でＩＤが一致していないと判断されたときは、ステップｓ２７８に戻り、次の鍵を呼出す。ステップｓ２７９で鍵の最後と判断されるときは、ステップｓ２８３に移り、ビジタに他商品を探すか否かを確認する確認入力を行う。ステップｓ２８４では、ビジタが「探す」を選択しているか否かを判断する。選択していると判断されるときは、ステップｓ２８５に移り、候補商品テーブル２６ｐ、検索鍵、予算値、およびＭＬ識別値のデータをクリアし、Ａ１２に示すように、図１３のステップｓ２４に戻る。ステップｓ２８４で「探す」を選択していないと判断されるときは、ステップｓ２８６で鍵一時保管テーブル２６ｂの第１のテーブルより、ビジタＩＤに関連付けされた鍵、検索鍵、候補商品テーブル２６ｐ、予算値およびＭＬ識別値のデータをクリアして、Ａ１で示すように、図１２のステップｓ１に戻る。
【０１２５】
図２３は、図１９のステップｓ１８７で他の鍵を使うと判断されたときの処理手順を示す。ステップｓ２９０では、ビジタに任意鍵を使用するか否かを確認する確認入力を行う。ステップｓ２９１で、他の人の鍵が選択されているか否かを判断し、選択されていないと判断されるときは、ステップｓ２９２で「戻る」が選択されているか否かを判断する。「戻る」が選択されていると判断されれば、Ａ１５で示すように、図１９のステップｓ１８６に戻る。ステップｓ２９２で「戻る」が選択されていないと判断されるときは、ステップｓ２９３で、使用候補鍵テーブル２６ｋのデータをクリアする。ステップｓ２９４では、鍵管理テーブル２６ａの先頭に戻る。ステップｓ２９５では、鍵管理テーブル２６ａより鍵を呼出す。ステップｓ２９６では、鍵の最後であるか否かを判断する。最後でないと判断されるときは、ステップｓ２９７で鍵の種類が任意鍵を表す「１」であるか否かを判断する。鍵の種類が「１」であれば、ステップｓ２９８で使用候補鍵テーブルに鍵を登録する。ステップｓ２９８の登録が終了した後、またはステップｓ２９７で鍵の種類が「１」でないと判断されるとき、ステップｓ２９５に戻り、次の鍵を呼出す。
【０１２６】
ステップｓ２９６で鍵の最後と判断されるときは、ステップｓ２９９で使用候補鍵テーブルの先頭に戻る。ステップｓ３００では、使用候補鍵テーブル２６ｋより鍵を呼出し、ステップｓ３０１で候補鍵があるか否かを判断する。候補鍵が無ければ、Ａ１５で示すように、図１９のステップｓ１８６に戻る。ステップｓ３０１で候補鍵があると判断されるときは、ステップｓ３０２でビジタにどの鍵を使うかを確認する確認入力を行う。ステップｓ３０３では、ビジタが「戻る」を選択しているか否かを判断する。「戻る」を選択していれば、Ａ１６で示すように、ステップｓ２９０に戻る。ステップｓ３０３で「戻る」が選択されていないと判断されれば、ステップｓ３０４で、入力鍵を検索鍵として登録し、Ａ１７で示すように、図１９のステップｓ２０６に戻る。
【０１２７】
ステップｓ２９１で他人の鍵を選択すると判断されるときは、ステップｓ３０５で、ビジタに鍵の持ち主と鍵の名前とを入力するように促す。ステップｓ３０６では鍵管理テーブル２６ａの先頭に戻る。ステップｓ３０７では、鍵管理テーブル２６ａから、ＩＤ（１）である鍵の持ち主と鍵の名前とによって、鍵を呼出す。次にステップｓ３０８で、呼出し鍵を検索鍵として登録し、Ａ１７で示すように、図１９のステップｓ２０６に戻る。
【０１２８】
図２４は、図１９のステップｓ２０７で鍵の組合せが選択されたときの処理手順を示す。ステップｓ３１０では、組合せ候補鍵テーブル２６ｌのデータをクリアする。ステップｓ３１１では、ビジタに任意鍵を使用するか否かを確認する確認入力を行う。ステップｓ３１２で、他の人の鍵が選択されているか否かを判断し、選択されていないと判断されるときは、ステップｓ３１３で自分の鍵を選択するか否かを判断する。自分の鍵も選択しないと判断されるとき、ステップｓ３１４で「戻る」が選択されているか否かを判断する。「戻る」が選択されていると判断されれば、Ａ１７で示すように、図１９のステップｓ２０６に戻る。ステップｓ３１４で「戻る」が選択されていないと判断されるときは、ステップｓ３１５で、鍵管理テーブル２６ａの先頭に戻る。ステップｓ３１６では、鍵管理テーブル２６ａより鍵を呼出す。ステップｓ３１７では、鍵の最後であるか否かを判断する。最後でないと判断されるときは、ステップｓ３１８で鍵の種類が任意鍵を表す「１」であるか否かを判断する。鍵の種類が「１」であれば、ステップｓ３１９で組合せ候補鍵テーブル２６ｌへ鍵を登録する。ステップｓ３１９の登録が終了した後、またはステップｓ３１８で鍵の種類が「１」でないと判断されるとき、ステップｓ３１６に戻り、次の鍵を呼出す。
【０１２９】
ステップｓ３１７で鍵の最後と判断されるときは、ステップｓ３２０で組合せ候補鍵テーブル２６ｌの先頭に戻る。ステップｓ３２１では、組合せ候補鍵テーブル２６ｌより鍵を呼出し、ステップｓ３２２でビジタにどの鍵を使うかの確認を促して確認入力を行う。ステップｓ３２３でビジタが「戻る」を選択していると判断されれば、Ａ１８に示すように、ステップｓ３１０に戻る。ステップｓ３２３で「戻る」を選択していると判断されないときは、ステップｓ３２４で入力鍵を組合せ鍵として登録する。
【０１３０】
ステップｓ３１３で、自分の鍵を選択すると判断されるときは、ステップｓ３２５で鍵一時保管テーブル２６ｂの第１のテーブルの先頭に戻る。ステップｓ３２６では、鍵一時保管テーブル２６ｂの第１のテーブルより、鍵を呼出す。ステップｓ３２７では、鍵の最後であるか否かを判断する。鍵の最後であれば、ステップｓ３２０に移る。ステップｓ３２７で鍵の最後ではないと判断されるときは、ステップｓ３２８で鍵の種類が固有鍵を表す「０」であるか否かが判断される。鍵の種類が「０」であれば、ステップｓ３２９でビジタＩＤと鍵ＩＤとを比較する。比較の結果、一致していると判断されるときは、ステップｓ３３０で、組合せ候補テーブル２６ｌへ鍵を登録する。ステップｓ３３０の登録が終了した後、ステップｓ３２８で鍵の種類が「０」でないと判断されるとき、またはステップｓ３２９でＩＤが一致しないと判断されるときは、ステップｓ３２６に戻り、次の鍵を呼出す。
【０１３１】
ステップｓ３１２で他人の鍵を選択すると判断されるときは、ステップｓ３３１で、ビジタに鍵の持ち主と鍵の名前とを入力するように促す。ステップｓ３３２では鍵管理テーブル２６ａの先頭に戻る。ステップｓ３３３では、鍵管理テーブル２６ａから、ＩＤ（１）である鍵の持ち主と鍵の名前とによって、鍵を呼出す。次にステップｓ３３４で、呼出し鍵を組合せ鍵として登録する。ステップｓ３２４またはステップｓ３３４の登録後、Ａ２５で示すように、図２５のステップｓ３５０に移る。
【０１３２】
図２５は、図２４のステップｓ３２４またはステップｓ３３４に続く、組合せ鍵による検索の処理手順を示す。ステップｓ３５０では、検索鍵をコピーし、鍵の種類を「０」として合成固有鍵を作成し、合成固有鍵のＩＤ、パスワード、ポイント数は鍵一時保管テーブル２６ｂの第１テーブルを参照し、ビジタのものに更新する。ステップｓ３５１では、パラメータｍ，ｎをそれぞれ１に設定する。ステップｓ３５２では、検索鍵のデータ種別Ａが最後か否かを判断する。最後でないと判断されるときは、ステップｓ３５３で、組合せ鍵のデータ種別Ａ（ｍ）と検索鍵のデータ種別Ａ（ｎ）とを比較する。合っていれば、ステップｓ３５４で、組合せ鍵のデータ種別Ｂ（ｍ）と検索鍵のデータ種別Ｂ（ｎ）とを比較する。合っていれば、ステップｓ３５５で、検索鍵の乗算許可値が「１」であるか否かを判断する。ステップｓ３５３、ステップｓ３５４、またはステップｓ３５５で一致していないと判断されるときは、ステップｓ３５６でパラメータｎの値を１だけ増加させて、ステップｓ３５２に戻る。
【０１３３】
ステップｓ３５５で、検索鍵の乗算許可値が「１」であると判断されるときは、ステップｓ３５７で検索鍵データ値に組合せ鍵データ値を乗算し、乗算結果を乗算データ値として求める。ステップｓ３５８では、合成鍵のデータ種別Ａ（ｎ）、Ｂ（ｎ）のデータ値を、乗算データ値で更新する。ステップｓ３５９では、乗算データ値をクリアする。ステップｓ３５９の処理が終了した後、またはステップｓ３５２で検索鍵のデータ種別Ａが最後であると判断されるとき、ステップｓ３６０に移る。ステップｓ３６０では、パラメータｍの値を１だけ増加させ、パラメータｎの値をｎ＝１に設定する。ステップｓ３６１では、組合せ鍵のデータ種別Ａの最後か否かを判断する。最後でないと判断されれば、ステップｓ３５２に戻る。ステップｓ３６１で最後と判断されると、ステップｓ３６２で検索鍵を合成鍵で更新登録し、ステップｓ３６３で組合せ鍵、組合せ候補鍵テーブル２６ｌのデータをクリアする。ステップｓ３６４では、ビジタに再組合せを行うか否かを確認する確認入力を行う。ステップｓ３６５で再組合せを選択していると判断されると、Ａ１８で示すように、図２４のステップｓ３１０に戻る。ステップｓ３６５で再組合せを選択していないと判断されるときは、ステップｓ３６６で、ビジタに鍵の名前を入力するように促す。ステップｓ３６７で「戻る」が選択されていると判断されるときは、ステップｓ３６４に戻る。ステップｓ３６７で「戻る」が選択されていないと判断されるときは、ステップｓ３６８で鍵管理テーブル２６ａ、および鍵一時保管テーブル２６ｂの第１テーブルに鍵を登録し、Ａ１９に示すように、図２６のステップｓ３７０に移る。
【０１３４】
図２６は、図２５のステップｓ３６８に続く検索処理の手順を示す。ステップｓ３７０では、ＭＬ識別値がライブラリを表す「０」であるか否かを判断する。ＭＬ識別値が「０」であれば、Ａ２７で示すように、図２８のステップｓ４２０に移る。ステップｓ３７０でＭＬ識別値が「０」でないと判断されるときは、ステップｓ３７１で、候補商品テーブル２６ｐのデータをクリアする。ステップｓ３７２では、店舗・商品管理テーブル２６ｈの先頭に戻る。ステップｓ３７３では、店舗・商品管理テーブル２６ｈより、モール番号、店舗番号、店舗名、商品番号、商品名、カテゴリ番号、単価および商品ページアドレスを呼出す。ステップｓ３７４では、カテゴリ番号の最後か否かを判断する。最後でないと判断されるときは、ステップｓ３７５で、カテゴリ番号の入力値とテーブル上のカテゴリ番号とを比較する。比較の結果が一致すれば、ステップｓ３７６で、予算値とテーブル上の単価とを比較する。予算値≧単価であれば、ステップｓ３７７で、候補商品テーブル２６ｐに、モール番号、店舗番号、店舗名、商品番号、商品名、単価および商品ページアドレスを登録する。ステップｓ３７７での登録の終了後、またはステップｓ３７５で一致しないと判断されるとき、ステップｓ３７６で予算値＜単価であるときは、ステップｓ３７３に戻り、次のデータを呼出す。
【０１３５】
ステップｓ３７４でカテゴリ番号の最後と判断されるときは、ステップｓ３７８で、候補商品テーブル２６ｐ先頭に戻る。ステップｓ３７９では、候補商品テーブル２６ｐより、モール番号、店舗番号、店舗名、商品番号、商品名、単価および商品ページアドレスを呼出す。ステップｓ３８０では、商品番号の最後か否かを判断する。最後と判断されるときは、Ａ２８で示すように、図２７のステップｓ４００に移る。ステップｓ３８０で商品番号の最後ではないと判断されるときは、ステップｓ３８１で、錠管理テーブル２６ｆからモール番号、店舗番号、および商品番号を用いて、錠を呼出す。ステップｓ３８２では、ＯＫカウンタとＮＧカウンタとを０に初期化し、パラメータｍ，ｎもｍ＝１，ｎ＝１に設定する。
【０１３６】
ステップｓ３８３では、錠のデータ種別Ａの最後か否かを判断する。最後でないと判断されるときは、ステップｓ３８４で検索鍵のデータ種別Ａ（ｍ）と錠のデータ種別Ａ（ｎ）とを比較する。比較の結果、一致していると判断されれば、ステップｓ３８５で検索鍵のデータ種別Ｂ（ｍ）と錠のデータ種別Ｂ（ｎ）とを比較する。ステップｓ３８４またはステップｓ３８５での比較の結果、一致していないと判断されれば、ステップｓ３８６でパラメータｎの値を１だけ増加させて、ステップｓ３８３に戻る。
【０１３７】
ステップｓ３８３で、錠のデータ種別Ａが最後であると判断されるときは、パラメータｍを１だけ増加させ、パラメータｎをｎ＝１に設定して、ステップｓ３８８で検索鍵のデータ種別Ａが最後であるか否かを判断する。最後でないと判断されるときは、ステップｓ３８３に戻る。ステップｓ３８８で検索鍵のデータ種別Ａの最後と判断されるときは、ステップｓ３８９で、ＯＫカウンタの計数値を、ＯＫカウンタの計数値とＮＧカウンタの計数値との和で除算して、合致率を求める。ステップｓ３９０では、候補商品テーブル２６ｐに合致率を登録し、Ａ２５で示すように、ステップｓ３７９に戻る。
【０１３８】
ステップｓ３８５で比較結果が一致すると判断されるときは、ステップｓ３９１で、検索鍵の照合法が「２」となっているか否かを判断する。照合法が「２」となっていると判断されるときは、ステップｓ３９２で検索鍵のデータ値と錠のデータ値とを比較する。検索鍵のデータ値＜錠のデータ値であれば、Ａ２５で示すように、ステップｓ３７９に戻る。ステップｓ３９１で照合法が「２」となっていないと判断されるときは、ステップｓ３９３で照合法が「１」となっているか否かを判断する。照合法が「１」となっていると判断されるときは、ステップｓ３９４で検索鍵のデータ値と錠のデータ値とを比較する。検索鍵のデータ値＞錠のデータ値であれば、Ａ２５で示すように、ステップｓ３７９に戻る。ステップｓ３９３で照合法が「１」となっていないと判断されるときは、ステップｓ３９５で、検索鍵のデータ値と錠のデータ値とを比較する。比較の結果が一致していれば、ステップｓ３９６でＯＫカウンタの計数値を１だけ増加させる。ステップｓ３９２で検索鍵のデータ値≧錠のデータ値と判断されるとき、またはステップｓ３９４で検索鍵のデータ値≦錠のデータ値と判断されるときも、ステップｓ３９６でＯＫカウンタの計数値を１だけ増加させる。ステップｓ３９５の比較結果が一致していないと判断されるときは、ステップｓ３９７でＮＧカウンタの計数値を１だけ増加させる。ステップｓ３９６またはステップｓ３９７の終了後は、Ａ２９で示すように、ステップｓ３８７に戻る。
【０１３９】
図２７は、図２６のステップｓ３８０で商品番号の最後と判断された後で、ビジタに商品を見せる処理手順を示す。ステップｓ４００では、候補商品を合致率順に並べ替える。次のステップｓ４０１で、ビジタに商品番号を確認して入力するように促す確認入力を行う。ステップｓ４０２では、ビジタに商品番号で入力された商品を注文するように促して、確認入力を行う。ステップｓ４０３で、ビジタが終了を選択したと判断されるときは、ステップｓ４０４で、鍵一時保管テーブル２６ｂの第１のテーブルより、ビジタＩＤに関連付けされた鍵、検索鍵、候補商品テーブル２６ｐ、予算値、ＭＬ識別値のデータをクリアする。次に、Ａ１で示すように、図１２のステップｓ１に戻る。ステップｓ４０３でビジタが「終了」を選択していないときは、ステップｓ４０５で、ビジタが他の商品を探すことを選択しているか否かを判断する。選択していれば、ステップｓ４０６で候補商品テーブル２６ｐ、検索鍵、予算値、およびＭＬ識別値のデータをクリアする。次に、Ａ１２で示すように、図１３のステップｓ２４に戻る。
【０１４０】
ステップｓ４０５で、他の商品を探すを選択していないと判断されるときは、ステップｓ４０７で、ビジタが「戻る」を選択しているか否かを判断する。選択していると判断されるときは、ステップｓ４０１に戻る。ステップｓ４０７で「戻る」が選択されていないと判断されるときは、ステップｓ４０８で「見る」が選択されているか否かを判断する。選択されていると判断されるときは、ステップｓ４０９で、候補商品テーブル２６ｐより、モール番号、店舗番号、および商品番号に関連付けられた商品ページアドレスを呼出す。次に、ステップｓ４１０で、ビジタに商品閲覧ができたことを確認するための確認入力を行い、ステップｓ４０２に戻る。ステップｓ４０８で「見る」を選択していないと判断されると、ステップｓ４１１では、ビジタに住所、氏名、支払方法等を確認するための確認入力を行う。次にステップｓ４１２で「戻る」が選択されていれば、ステップｓ４０２に戻り、「戻る」が選択されていなければ、ステップｓ４１３で発注フォームに、モール番号、店舗番号、店舗名、商品番号、商品名、単価、数量、住所、氏名、支払方法等を登録する。次に、Ａ２２で示すように、図２２のステップｓ２７０に移る。
【０１４１】
図２８は、図２６のステップｓ３７０でＭＬ識別値が「０」であると判断されるときの検索処理の手順を示す。ステップｓ４２０で、候補作品テーブル２６ｑのデータをクリアする。ステップｓ４２１では、出展者・作品管理テーブル２６ｉの先頭に戻る。ステップｓ４２２では、出展者・作品管理テーブル２６ｉより、ライブラリ番号、出展者番号、出展者名、作品番号、作品名、カテゴリ番号、および作品ページアドレスを呼出す。ステップｓ４２３では、カテゴリ番号の最後か否かを判断する。最後でないと判断されるときは、ステップｓ４２４で、カテゴリ番号の入力値とテーブル上のカテゴリ番号とを比較する。比較の結果が一致すれば、ステップｓ４２５で、候補作品テーブル２６ｑに、ライブラリ番号、出展者番号、出展者名、作品番号、作品名、および作品ページアドレスを登録する。ステップｓ４２５での登録の終了後、またはステップｓ４２４で一致しないと判断されるときは、ステップｓ４２２に戻り、次のデータを呼出す。
【０１４２】
ステップｓ４２３でカテゴリ番号の最後と判断されるときは、ステップｓ４２６で、候補作品テーブル２６ｑ先頭に戻る。ステップｓ４２７では、候補作品テーブル２６ｑより、ライブラリ番号、出展者番号、出展者名、作品番号、作品名、および作品ページアドレスを呼出す。ステップｓ４２８では、作品番号の最後か否かを判断する。最後と判断されるときは、Ａ３０で示すように、図２９のステップｓ４５０に移る。ステップｓ４２８で商品番号の最後ではないと判断されるときは、ステップｓ４２９で、錠管理テーブル２６ｆからライブラリ番号、出展者番号、および作品番号を用いて、錠を呼出す。ステップｓ４３０では、ＯＫカウンタとＮＧカウンタとを０に初期化し、パラメータｍ，ｎもｍ＝１，ｎ＝１に設定する。
【０１４３】
ステップｓ４３１では、錠のデータ種別Ａの最後か否かを判断する。最後でないと判断されるときは、ステップｓ４３２で検索鍵のデータ種別Ａ（ｍ）と錠のデータ種別Ａ（ｎ）とを比較する。比較の結果、一致していると判断されれば、ステップｓ４３３で検索鍵のデータ種別Ｂ（ｍ）と錠のデータ種別Ｂ（ｎ）とを比較する。ステップｓ４３２またはステップｓ４３３での比較の結果、一致していないと判断されれば、ステップｓ４３４でパラメータｎの値を１だけ増加させて、ステップｓ４３１に戻る。
【０１４４】
ステップｓ４３１で、錠のデータ種別Ａが最後であると判断されるときは、パラメータｍを１だけ増加させ、パラメータｎをｎ＝１に設定して、ステップｓ４３６で検索鍵のデータ種別Ａが最後であるか否かを判断する。最後でないと判断されるときは、ステップｓ４３１に戻る。ステップｓ４３６で検索鍵のデータ種別Ａの最後と判断されるときは、ステップｓ４３７で、ＯＫカウンタの計数値を、ＯＫカウンタの計数値とＮＧカウンタの計数値との和で除算して、合致率を求める。ステップｓ４３８では、候補作品テーブル２６ｑに合致率を登録し、ステップｓ４２７に戻る。
【０１４５】
ステップｓ４３３で比較結果が一致すると判断されるときは、ステップｓ４３９で、検索鍵の照合法が「２」となっているか否かを判断する。照合法が「２」となっていると判断されるときは、ステップｓ４４０で検索鍵のデータ値と錠のデータ値とを比較する。検索鍵のデータ値＜錠のデータ値であれば、ステップｓ４２７に戻る。ステップｓ４３９で照合法が「２」となっていないと判断されるときは、ステップｓ４４１で照合法が「１」となっているか否かを判断する。照合法が「１」となっていると判断されるときは、ステップｓ４４２で検索鍵のデータ値と錠のデータ値とを比較する。検索鍵のデータ値＞錠のデータ値であれば、ステップｓ４２７に戻る。ステップｓ４４１で照合法が「１」となっていないと判断されるときは、ステップｓ４４３で、検索鍵のデータ値と錠のデータ値とを比較する。比較の結果が一致していれば、ステップｓ４４５でＯＫカウンタの計数値を１だけ増加させる。ステップｓ４４０で検索鍵のデータ値≧錠のデータ値と判断されるとき、またはステップｓ４４２で検索鍵のデータ値≦錠のデータ値と判断されるときも、ステップｓ４４５でＯＫカウンタの計数値を１だけ増加させる。ステップｓ４４３の比較結果が一致していないと判断されるときは、ステップｓ４４６でＮＧカウンタの計数値を１だけ増加させる。ステップｓ４４５またはステップｓ４４６の終了後は、Ａ３１で示すように、ステップｓ４３５に戻る。
【０１４６】
図２９は、図２８のステップｓ４２８で作品番号の最後と判断された後で、ビジタに作品を見せる処理手順を示す。ステップｓ４５０では、候補作品を合致率順に並べ替える。次のステップｓ４５１で、ビジタに作品番号を確認して入力するように促す確認入力を行う。ステップｓ４５２では、ビジタに作品番号で入力された作品についてコメントを残すように促して、確認入力を行う。ステップｓ４５３で、ビジタが終了を選択したと判断されるときは、ステップｓ４５４で、鍵一時保管テーブル２６ｂの第１のテーブルより、ビジタＩＤに関連付けされた鍵、検索鍵、候補作品テーブル２６ｑ、予算値、ＭＬ識別値のデータをクリアする。次に、Ａ１で示すように、図１２のステップｓ１に戻る。ステップｓ４５３でビジタが「終了」を選択していないときは、ステップｓ４５５で、ビジタが他の作品を探すことを選択しているか否かを判断する。選択していれば、ステップｓ４５６で候補作品テーブル２６ｑ、検索鍵、予算値、およびＭＬ識別値のデータをクリアする。次に、Ａ１２で示すように、図１３のステップｓ２４に戻る。
【０１４７】
ステップｓ４５５で、他の商品を探すを選択していないと判断されるときは、ステップｓ４５７で、ビジタが「戻る」を選択しているか否かを判断する。選択していると判断されるときは、ステップｓ４５１に戻る。ステップｓ４５７で「戻る」が選択されていないと判断されるときは、ステップｓ４５８で「見る」が選択されているか否かを判断する。選択されていると判断されるときは、ステップｓ４５９で、候補作品テーブルより、ライブラリ番号、出展者番号、および作品番号に関連付けられた作品ページアドレスを呼出す。次に、ステップｓ４６０で、ビジタに作品閲覧ができたことを確認するための確認入力を行い、ステップｓ４５２に戻る。ステップｓ４５８で「見る」を選択していないと判断されると、ステップｓ４６１では、ビジタに入力を促してコメントの入力を行う。次にステップｓ４６２で「戻る」が選択されていれば、ステップｓ４５２に戻り、「戻る」が選択されていなければ、ステップｓ４６３で、ライブラリ番号、出展者番号、作品番号、コメント入力値を、ライブラリポイント一時テーブル２６ｅに登録する。ステップｓ４６４では、ビジタに他作品を探すか否かを確認するために、確認入力を行う。ステップｓ４６５で「探す」を選択していると判断されるときは、Ａ３３で示すように、ステップｓ４５６に移る。ステップｓ４６５で、「探す」を選択していないと判断されるときは、Ａ３２で示すように、ステップｓ４５４に移る。
【０１４８】
図３０は、ライブラリへのビジタ１８やモールへのビジタ１９がポータルサーバ１６にアクセスするときに、ポータルサーバ１６側で用意している初期画面を示す。ビジタがポータルサーバ１６にアクセスする目的は、ライブラリの作品を見たり、モールで購入する商品を選ぶことにある。当然のことながら、鍵を作るために嗜好を登録することは目的外である。景品ポイントを貯めるためにはユーザ登録が必要という動機付けを行うにせよ、多くの項目をアンケート方式で入力してもらうと時間がかかる。ビジタがライブラリやモールを利用すること自体は無料であり、かえって景品ポイントに基づく景品をもらうことが期待できるとしても、インターネット１７に接続するためにプロバイダに支払う料金や、通信回線の使用料など、通信費用は利用時間に応じてかかってしまう。鍵を作るための嗜好の登録に時間がかかると、通信費の無駄使いとなって敬遠されてしまうことになる。
【０１４９】
そこで特定の作品や商品カテゴリにかかわる最小限の嗜好だけを登録してもらうことで、そのビジタの最初の鍵が形成されるという仕組みにする。まず、作品や商品カテゴリが指定された時点で、検索に必要な嗜好項目のテーブルを呼出す。そのテーブルの項目に対して対応する値が鍵上に存在するかどうかをチェックし、もし値が存在しなければアンケート形式で値を引出し、鍵上に新たに登録する。たとえば紳士ウォーキングシューズを買う場合を想定すると、必要な項目は性別やサイズ、牛革か合成皮かといった素材や色の好き嫌いなどに限ることができる。ビジタが次に、前回と異なるカテゴリの商品を探す場合は、その商品に応じた項目の値を登録し、鍵を充実させればよい。この仕組みなら錠の進化に合わせて鍵を充実させることも可能となる。たとえば前述の紳士ウォーキングシューズの場合、鍵のデータとして新たに、ローファータイプ、編み上げといった形状に関する情報を入れる必要が生じれば、鍵にも当然それに対応するデータが無いので、そのデータは追加アンケートで引出すようにして、鍵をアップデートさせることができる。このように錠と鍵とから、商品・作品と消費者とを結びつける仕組みを、自ら主導してアップデートすることができることがデジタルアトリエ１０の特徴である。
【０１５０】
嗜好について登録済のビジタの場合は、前回と同じ作品・商品カテゴリを検索する場合、使う鍵を選ぶだけですむ。ただし、前述のとおり、同じカテゴリの検索でも、錠のデータ項目が前回より増えていれば、それに対応する鍵を作成しなければならないので、追加アンケートに答える必要がある。また前回と異なるカテゴリを検索する場合は、対応する鍵の値が登録されていないので、カテゴリに対応したアンケート項目に答える必要がある。
【０１５１】
たとえば、ビジタが商品カテゴリを指定し、予算を決めて探すケースを想定する。この場合は、商品カテゴリを指定した時点で、錠と鍵とをマッチングさせるために必要な項目を登録したテーブルが呼出され、テーブルが指定するデータ項目に対する値が、鍵の上に存在するかどうかがチェックされる。存在しない場合は、追加アンケートが行われ、値が鍵に新たに登録される。次に予算が指定されると、商品が予算内であるか、検索時に錠の価格データを参照する。価格が予算を超えている場合は、その時点で検索結果候補から外すので、他項目で錠と鍵とが一致していても、無条件に候補から外されてしまう。なお、ライブラリの作品を検索する場合は、予算指定はない。
【０１５２】
作品や商品カテゴリの指定、予算の指定は必須入力項目にする。これは、これらの指定がないと検索結果が多くなりすぎることが懸念されるからである。ただ作品や商品をただ次々と眺めるウインドショッピングなどを行う場合も考えられる。これらの場合は鍵を使わず、商品カテゴリと予算だけでスクリーニングすればよい。
【０１５３】
前述のような予算の他に、長さや大きさのｃｍ単位、重さのｋｇ単位といった数値化された条件での照合に対しては、次の３通りの方法が考えられる。
▲１▼錠の値と鍵と値とが一致すべきもの。（服や靴のサイズなど）
▲２▼錠の値が鍵の値と一致、または小さい方が望ましいもの。（予算など）
▲３▼錠の値が鍵の値と一致、または大きい方が望ましいもの。
▲１▼〜▲３▼のどの照合方法を採るかは、ビジタの考え方にもよるので、鍵を作る際のアンケートの中で、数値の条件があれば▲１▼〜▲３▼のどの照合方法を選択するかについても引き出すようにし、鍵に登録する。検索結果の表示順位は、錠と鍵との合致率が高い順から表示する。
【０１５４】
ユーザ登録を行ってアンケートに答えた時点で１つの固有鍵が作られるけれども、ビジタがその後、鍵の合成を行って、次々と新しい固有鍵を作成し、登録することが想定される。またこれらの固有鍵の削除も自由となる。ここで景品ポイントの登録は、これら作成された固有鍵すべてに対し同等に行う。このようにすれば、固有鍵を削除したことによって景品ポイントの消滅を防ぐことができる。具体的には、新しい固有鍵を登録する時点で、すでに登録されている固有鍵の景品ポイント数を参照し、その景品ポイント数を新しい固有鍵へもコピーする。景品ポイントが増減した場合は、そのビジタの登録固有鍵をすべて呼出し、同時に新しい景品ポイントを登録する。
【０１５５】
本発明では、ライブラリとモールとの検索に、鍵と錠とのマッチングシステムを適用し、ビジタの嗜好に適合した作品や商品を迅速に検索することを可能にしている。また、ライブラリとモールに対するビジタに対し、景品ポイントを与えて動機付けを行い、アクセスを増やすようにしている。このようなアクセスの増加の報酬として、成功報酬型でＤＡ会員１１に対し、景品ポイントのビジタへ進呈数に対応する料金を請求する。
【０１５６】
【実施例】
図３０は、図１のライブラリへのビジタ１８やモールへのビジタ１９がデジタルアトリエ１０のサイバースペース１２にアクセスするときに、最初に端末装置に表示される初期画面を示す。初期画面では、「お名前」、「お誕生日」、「〒番号」および「パスワード」の４項目について入力要求がなされる。４項目のうち、その時点で実際に選択または入力する対象となる項目には、下線などのカーソルが表示され、選択または入力を促す。選択または入力が行われると、下線などの表示位置は次の項目に移る。入力要求に対して、リターンキーのみ入力するとき、その項目については入力無しとして処理する。４項目の入力結果から、固有鍵を呼出すことができなければ図３１に示す「初めて」シートに移り、ビジタの固有鍵を呼出すことができれば図３２に示す「登録済」シートへ移る。
【０１５７】
図３１は、「初めて」シートによる嗜好の登録手順を示す。（１）では、ユーザ登録が無い旨を表示し、登録を行うことを確認するように促す。「戻る」を選択すると初期画面へ戻る。他の画面の段階で「戻る」を選択すると、１つ前の画面に戻る。「確認」を選択すると、（２）に進む。（２）では、鍵に対して名前を付ける。次は（３）に進み、「ライブラリ」と「モール」とを選択する。「ライブラリ」を選択すると、以下、（５）での予算画面が表示されなくなる。ただし、他の画面は同様に表示される。「モール」または「ライブラリ」のいずれかを選択すると、（４）に進んで、カテゴリ番号を入力する。カテゴリ番号を入力すると、カテゴリ番号から鍵と錠の対比管理テーブル２６ｇが呼出される。「番号がわからない」を選ぶと、「カテゴリ番号」シートが参照され、図３５に示すような画面に従って、カテゴリ番号を入力することができる。
【０１５８】
（４）でカテゴリ番号を入力すると、（３）で「モール」を選択しているときは、（５）に進んで予算を入力する。（３）で「ライブラリ」を選択しているときは、（６）に進む。（６）では、「鍵を使う」か「使わない」かを選択する。鍵を「使わない」を選択すると、図３６に示すような画面に移る。「鍵を使う」を選択すると、（７）に進み、どの鍵を使うかを選択する。「他の鍵」を使う場合は、図４０に示すような画面に移る。「自分の鍵」を選択すると、（８）に進み、登録済の鍵の名前を表示する。鍵の名前は、複数登録される場合もある。表示された名前に下線が付いている状態でリターンキーを入力すると、鍵の名前を確認したこととなり、（９）に進み、表示されている鍵についての処理を選択する。「鍵を削除する」場合は、選択された鍵を削除した後、前画面に戻る。「鍵を使う」ことを選択すると、（１０）に進み、鍵の使い方を選択する。他の鍵と組合せる場合は、図４１で示すような「鍵組合せ」シートの画面に移る。「そのまま使う」ことを選択すると、図４２に示すような「検索画面」シートの画面に移る。
【０１５９】
図３２は、ユーザ登録済の場合の「登録済」シートでの入力手順を示す。（１）では、  現在の景品ポイント数が表示され、「ポイント引換え」を選択すれば図３４に示す「引換え」シートが参照される。「ライブラリ・モールへ」を選択すれば、（２）〜（９）は、図３１の（３）〜（１０）とそれぞれ同様である。
【０１６０】
図３３は、鍵形成のために行う「アンケート」シートでの入力手順を、カテゴリ番号が商品として靴を示す場合を想定して示す。（１）では、靴のサイズを数値で入力する。このような数値入力の場合、入力された数値をそのまま登録する。（２）では、照合方法を確認する。（３）では、編み上げタイプについての「好き」「嫌い」を選択する。選択結果は、絶対値として入力され、編み上げタイプが「好き」の場合は１、「嫌い」の場合は０が登録される。
【０１６１】
図３４は、図３２の（１）で「ポイント引換え」を選択したとき表示される「ポイント引換え」シートでの入力手順を示す。（１）は、図３２の（１）の画面を示す。（２）では、引換え可能な景品として、商品番号と景品ポイント数とのリストが表示される。複数の商品が表示される場合もある。商品を選択すると、（３）で、送り先住所と、氏名等の宛名の入力が求められる。次に（４）では、景品ポイントの残りが表示される。多くの景品ポイントが貯まっているときは、「ポイント引換え」を複数回選択して、景品の引換えを行うことができる。
【０１６２】
図３５は、カテゴリ番号がわからないときの入力手順を示す。（１）は、図３１の（４）や図３２の（３）の画面を示す。「番号がわからない」を選択すると、カテゴリ番号ウィザードに従って、カテゴリ番号入力のための調査が行われる。（２）、（３）、および（４）では、商品のカテゴリが順次絞り込まれる。最終的に、該当するカテゴリ番号が入力されて、図３１の（５）や図３２の（４）に移る。
【０１６３】
図３６は、図３１の（６）や図３２の（５）で、鍵を「使わない」を選択したときに続く、鍵不使用の場合による入力手順を示す。（１）で鍵不使用が選択されれば、（２）でモールの店舗またはライブラリの出展者を直接選択する。（３）では、選択した店舗の商品または選択した出展者の作品を直接選択する。次に、モールについては図３７に示す「発注」シートへ、ライブラリについては図３８に示す「コメント」シートへ、それぞれ移る。
【０１６４】
図３７は、モールへのビジタ１９を対象とする「発注」シートでの入力手順を示す。（１）では、「見る」、「注文する」、「他の商品を探す」、または「終了する」を選択することができる。「見る」を選択すると、図３９に示す「見る」シートが参照される。「注文する」を選択すると、（２）で検索された推奨商品が表示され、名前、住所、電話番号、支払方法、連絡方法など、既定のフォームを埋めてもらう形式で、予め定める行為としての注文が行われる。発注フォームは、店舗へ送信され、同時に紹介手数料の請求が行われる。（３）では、購入のお礼が表示され、（４）で景品ポイント数が表示され、終了するか他の商品を探すかを選択する。他の商品を探す場合は図３２に示す「登録済」シートの（２）へ移る。終了する場合は初期画面に戻る。
【０１６５】
図３８は、「コメント」シートでの入力手順を示す。（１）では、「見る」、「コメントを残す」、「他の作品を探す」、または「終了する」を選択可能である。一般には、「見る」を先に選択し、「コメントを残す」を後から選択する。「見る」を選択すると、図３９に示す「見る」シートが参照される。「コメントを残す」を選択すると、（２）でコメントを入力する。コメントを残した後、ライブラリの出展者がそのコメントを見て、お礼として景品ポイントが登録される。ポイントの固有鍵への積算は、ビジタが次回にデジタルアトリエ１０へアクセスしたときに行われる。コメント入力後、（３）では、閲覧に対するお礼の表示が行われ、「終了する」か「他の作品を探す」かを選択する。「他の作品を探す」場合は図３２に示す「登録済」シートの（２）へ移る。「終了する」場合は初期画面に戻る。
【０１６６】
図３９は、図３７や図３８の（１）で「見る」を選択し、商品や作品を見るときの入力手順を示す。（１）は、図３７や図３８の（１）と同じである。（２）では、検索された推奨商品または推奨作品について、表示が行われる。（２）で「確認」を選択すると、（１）に戻る。
【０１６７】
図４０は、図３１の（７）や図３２の（６）で「他の鍵」を選択するときの入力手順を示す。（１）は、図３１の（７）や図３２の（６）と同じである。（２）では、選ぶ鍵を選択する。「任意鍵」は、デジタルアトリエ側で、年齢や世代別、または最近の流行などを考慮して一般的な検索鍵として提供する。「他の人の鍵」は、贈物などの相手に使用する。「任意鍵」を選択すると、（３）でその種類を選択することができる。（２）で「他の人の鍵」を選択すると、（３）で持主の名前、および鍵の名前を入力する必要があるので、予め教えてもらっておく必要がある。（４）では、「そのまま使う」か「他の鍵と組合せる」かを選択する。「他の鍵と組合せる」場合は、図４１に示す「鍵組合せ」シートを参照する。「そのまま使う」場合は、図４２に示す「検索画面」シートに移る。
【０１６８】
図４１は、「鍵組合せ」シートでの入力手順を示す。（１）では、組合せる鍵の種類を選択する。（２）では、選択された鍵の種類について、それぞれさらに選択する。（１）で「任意鍵」を選択すると、（２）で用意されている「任意鍵の中からさらに選択する。（１）で「他の人の鍵」を選択すると、（２）で鍵の持ち主の名前と鍵の名前とを入力する。（１）で「自分の鍵」を選択すると、（２）で登録されている自分の鍵を選ぶ。（３）では、さらに鍵の組合せを行うか否かを選択する。「組合せる」を選択する場合は、（１）に戻る。「組合せない」を選択する場合は、（４）で鍵に名前を付け、図４２に示す「検索画面」シートに移る。
【０１６９】
図４２は、「検索画面」シートでの表示を示す。（１）では、検索中の状態を示し、（２）では検索結果を示す。「モール」については推奨商品が表示され、図３７に示す「発注」シートに移る。「ライブラリ」については推奨作品が表示され、図３８に示す「コメント」シートに移る。
【０１７０】
【発明の効果】
以上のように本発明によれば、インターネットなどの情報通信ネットワークで情報の発信を希望する発信希望者に対し、サーバでの情報の展示による発信を支援し、ポイントを用いて受信希望者によるデジタルアトリエからの情報の受信の魅力を大きくすることができる。ポイントの受信希望者への登録に伴う料金の請求は発信希望者に対して行われ、発信希望者はデジタルアトリエでの展示情報の受信の実績に応じて料金を支払えば、情報通信ネットワークやコンピュータについての詳しい知識がなくても、多くのアクセスを受けるような情報の公開を行うことができる。このような発信希望者の支援を有効に行うと、アクセスの実績に応じた料金を得ることができ、デジタルアトリエを受信希望者にとって魅力あるものにすればするほど多くの報酬を受けることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。また、商品の買物に変化をつけることができる。さらに、相手に喜ばれる贈り物を探すために、相手の「固有鍵」を借りて商品を検索することもでき、また友人に自分の「固有鍵」を渡して、お目当ての物を探してもらうこともできる。さらに、グループでお互いに「固有鍵」を出し合い、共通のお気に入りの商品を探すこともできる。このように、従来にない買い物スタイルが可能となり、特に情報通信ネットワークを介することでその真価を発揮させることができる。
【０１７１】
また本発明によれば、自己の作品を発信したい希望者は、情報通信ネットワークやコンピュータについての知識に乏しくても、支援を受けて有効に作品を情報通信ネットワークで公開することができる。公開された作品に対してのコメントなどの予め定める行為が行われると、受信希望者にはポイントが登録される。情報の発信希望者には、受信希望者に登録するポイント数に応じた料金が請求される。したがって、サーバに展示情報を作成して公開すれば、展示情報の受信が多くなるほど多くの報酬を得ることができ、多くの受信希望者に作品を見てもらい、多くのコメントなどを残してもらうような展示情報の作成を期待することができる。
【０１７２】
また本発明によれば、インターネットなどの情報通信ネットワークで商品を販売するための情報の発信希望者は、支援を受けてデジタルアトリエに情報を提示することができる。デジタルアトリエに展示されている情報を受信して商品の購入が行われると、購入した受信希望者にはポイントが登録され、商品に関連する情報の発信希望者にはポイントに応じた料金が請求される。商品の売れ行きに応じた料金を報酬として得ることができる。
【０１７３】
また本発明によれば、質問形式で受信希望者から情報検索の元になる嗜好の情報を取得して嗜好の情報を登録することができる。
【０１７４】
また本発明によれば、受信希望者から登録された嗜好の情報に、年令や世代別か、または最近の流行か等を含む一般的な要素を含めて検索鍵データを作成して情報を検索するので、検索する情報の範囲を絞り込んで、適切な情報の受信希望者に対する提供を行うことができる。
【０１７６】
また本発明によれば、デジタルアトリエから展示情報を受信する受信希望者は、嗜好の情報についての登録を識別情報で測定することができ、一旦識別情報が与えられればその識別情報に対応する嗜好の情報に基づく検索を行う限り、改めて登録を行う必要はなく、サーバへアクセスしてから情報を得るまでの時間と手順を短縮することができる。
【０１７７】
さらに本発明によれば、サイトを開設して、情報通信ネットワークからの受信希望者に対する嗜好の情報の登録と登録された嗜好の情報に基づく検索とを行い、かつ受信希望者に対するポイントの提供に関連する過程と、ポイント数に応じて発信希望者に対して行う料金の請求の過程とを、コンピュータで自動的に行わせることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。また、商品の買物に変化をつけることができる。さらに、相手に喜ばれる贈り物を探すために、相手の「固有鍵」を借りて商品を検索することもでき、また友人に自分の「固有鍵」を渡して、お目当ての物を探してもらうこともできる。さらに、グループでお互いに「固有鍵」を出し合い、共通のお気に入りの商品を探すこともできる。このように、従来にない買い物スタイルが可能となり、特に情報通信ネットワークを介することでその真価を発揮させることができる。
【０１７８】
さらに本発明によれば、情報の発信希望者は、コンピュータや情報通信ネットワークに対する知識が乏しくても、情報公開手段にサーバで展示する情報を作成してもらうことができ、情報発信が可能となる。情報公開手段のサーバに情報通信ネットワークからアクセスする展示情報の受信希望者に対しては、情報検索の基礎となる嗜好の情報に基づいて、展示情報を検索するための検索鍵データを形成する。情報公開手段は、受信希望者に、形成された検索鍵データに適合する検索錠データが付加されている展示情報を受信させる。受信希望者は、登録した嗜好の情報に適合する展示情報を受信することができるので、短い時間と手間で希望する展示情報を受信することが可能となる。情報公開手段からは、受信した展示情報に対して予め定める行為を行うことを条件にポイントが登録され、受信希望者に登録したポイント数に応じた料金を展示情報の発信希望者に請求するので、多くのアクセスを受け、発信した展示情報に対して予め定める行為が行われた実績に対して報酬を得ることができる。報酬が得られることで、サーバでの発信希望者への支援に実効を伴わせることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。また、商品の買物に変化をつけることができる。さらに、相手に喜ばれる贈り物を探すために、相手の「固有鍵」を借りて商品を検索することもでき、また友人に自分の「固有鍵」を渡して、お目当ての物を探してもらうこともできる。さらに、グループでお互いに「固有鍵」を出し合い、共通のお気に入りの商品を探すこともできる。このように、従来にない買い物スタイルが可能となり、特に情報通信ネットワークを介することでその真価を発揮させることができる。
【０１７９】
また本発明によれば、情報公開手段のサーバには、受信可能な発信希望者の作品と、購入する商品とが公開され、受信希望者が作品についてコメントを残すか、または商品を購入すれば、ポイントが登録される。ポイントの登録が受信希望者に展示情報の受信への意欲を起させ、発信希望者が発信したい情報に、多くのアクセスがなされるように支援することができる。
【０１８０】
さらに本発明によれば、展示サーバは、ポータルサーバの検索錠データ付加手段が検索時に便宜を図るために作成する検索錠データが付与された展示情報を、サイトに登録して公開する。情報の発信希望者は、コンピュータや情報通信ネットワークに対する知識が乏しくても、展示サーバによってサイトで展示情報を公開してもらうことができる。サイトに情報通信ネットワークからアクセスする展示情報の受信希望者に対しては、ポータルサーバで嗜好の情報に基づいて展示情報を検索するための検索鍵データを生成する。生成された検索鍵データに適合する検索錠データが付加されている展示情報を検索するので、受信希望者に、希望する展示情報を迅速に受信させることが可能となる。展示情報を受信する受信希望者に対しては、予め定める行為を行うことを条件にポイントが登録されるので、デジタルアトリエからの展示情報の受信を行う有力な動機付けとなる。ポータルサーバは、受信希望者に登録したポイント数に応じた料金を、展示情報の発信希望者に請求するので、多くのアクセスを受ける展示情報の実績に対して、多くの報酬を請求することができ、情報をデジタルアトリエに展示して公開する発信希望者への支援に実効を伴わせることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。また、商品の買物に変化をつけることができる。さらに、相手に喜ばれる贈り物を探すために、相手の「固有鍵」を借りて商品を検索することもでき、また友人に自分の「固有鍵」を渡して、お目当ての物を探してもらうこともできる。さらに、グループでお互いに「固有鍵」を出し合い、共通のお気に入りの商品を探すこともできる。このように、従来にない買い物スタイルが可能となり、特に情報通信ネットワークを介することでその真価を発揮させることができる。
【０１８１】
また本発明によれば、支援サーバが展示サーバで展示する展示情報の作成を支援するとともに、検索錠データも生成するので、発信希望者は情報通信ネットワーク上で、容易に検索することができるように、情報発信を行うことができる。
【０１８２】
また本発明によれば、情報発信支援方法では、登録した嗜好の情報に適合する展示情報を受信希望者に受信させることができるので、短い時間と手間で希望する展示情報を受信させることが可能となる。情報発信支援方法では、展示情報に対して入力されたコメントを、確認させることができる。
また、検索鍵データが表す検索鍵は、消費者の嗜好がデータ化された固有鍵のうち、サーバにアクセスしている受信希望者の固有鍵およびサーバにアクセスしている受信希望者を除く残余の受信希望者の固有鍵、任意に設定される嗜好がデータ化された任意鍵、ならびにこれらの固有鍵および任意鍵を組合せた合成鍵から選択可能であるので、受信希望者自身の嗜好とは異なる基準で、サーバから効率的に検索することが可能となる。また、商品の買物に変化をつけることができる。さらに、相手に喜ばれる贈り物を探すために、相手の「固有鍵」を借りて商品を検索することもでき、また友人に自分の「固有鍵」を渡して、お目当ての物を探してもらうこともできる。さらに、グループでお互いに「固有鍵」を出し合い、共通のお気に入りの商品を探すこともできる。このように、従来にない買い物スタイルが可能となり、特に情報通信ネットワークを介することでその真価を発揮させることができる。
【図面の簡単な説明】
【図１】本発明の実施の一形態としての情報発信支援の概要を示すブロック図である。
【図２】図１のライブラリサーバ１４の役割分担を示すブロック図である。
【図３】図１のモールサーバ１５の役割分担を示すブロック図である。
【図４】図１のポータルサーバ１６の役割分担を示すブロック図である。
【図５】図１のスタジオ２１に設けられる支援サーバ２０の役割分担を示すブロック図である。
【図６】図１の実施形態での「鍵」の構造を示す図、鍵のデータの例を示す図表、ならびにポータルサーバ１６に設けられる鍵管理テーブル２６ａ、鍵一時保管テーブル２６ｂ、使用候補鍵テーブル２６ｋおよび組合せ候補鍵テーブル２６ｌに共通な構造を示す図表である。
【図７】図１の実施形態での「錠」の構造を示す図、および錠管理テーブル２６ｆの構造を示す図表である。
【図８】図１のポータルサーバ１６に設けられる店舗・商品管理テーブル２６ｈ、出展者・作品管理テーブル２６ｉ、ライブラリポイント一時テーブル２６ｅ、候補商品テーブル２６ｐ、および候補作品テーブル２６ｑの構造を示す図表である。
【図９】図１のポータルサーバ１６に設けられる鍵と錠の対比管理テーブル２６ｇ、鍵作成用追加アンケート一時テーブル２６ｃ、ポイント引換商品テーブル２６ｊ、引換候補商品テーブル２６ｒ、候補対比表テーブル２６ｏ、および引換商品テーブル２６ｓの構造を示す図表である。
【図１０】図１のポータルサーバ１６に設けられる大・中・小カテゴリ番号テーブル２６ｄ、中分類候補値テーブル２６ｍ、および小分類候補値テーブル２６ｎの例を示す図表である。
【図１１】図１の実施形態のデジタルアトリエ１０で開設する仮想ショッピングモールの運用形態を、図４３と対比させた形で示す図である。
【図１２】図１の実施形態のデジタルアトリエ１０で、ビジタのアクセスに対する処理手順を示すフローチャートである。
【図１３】図１の実施形態のデジタルアトリエ１０で、ビジタのアクセスに対する処理手順を示すフローチャートである。
【図１４】図１の実施形態のデジタルアトリエ１０で、ビジタのアクセスに対する処理手順を示すフローチャートである。
【図１５】図１の実施形態のデジタルアトリエ１０で、ビジタのアクセスに対する処理手順を示すフローチャートである。
【図１６】図１の実施形態のデジタルアトリエ１０で、ビジタのアクセスに対する処理手順を示すフローチャートである。
【図１７】図１の実施形態のデジタルアトリエ１０で、ビジタのアクセスに対する処理手順を示すフローチャートである。
【図１８】図１の実施形態のデジタルアトリエ１０で、ビジタのアクセスに対する処理手順を示すフローチャートである。
【図１９】図１の実施形態のデジタルアトリエ１０で、ビジタのアクセスに対する処理手順を示すフローチャートである。
【図２０】図１の実施形態のデジタルアトリエ１０で、ビジタのアクセスに対する処理手順を示すフローチャートである。
【図２１】図１の実施形態のデジタルアトリエ１０で、ビジタのアクセスに対する処理手順を示すフローチャートである。
【図２２】図１の実施形態のデジタルアトリエ１０で、ビジタのアクセスに対する処理手順を示すフローチャートである。
【図２３】図１の実施形態のデジタルアトリエ１０で、ビジタのアクセスに対する処理手順を示すフローチャートである。
【図２４】図１の実施形態のデジタルアトリエ１０で、ビジタのアクセスに対する処理手順を示すフローチャートである。
【図２５】図１の実施形態のデジタルアトリエ１０で、ビジタのアクセスに対する処理手順を示すフローチャートである。
【図２６】図１の実施形態のデジタルアトリエ１０で、ビジタのアクセスに対する処理手順を示すフローチャートである。
【図２７】図１の実施形態のデジタルアトリエ１０で、ビジタのアクセスに対する処理手順を示すフローチャートである。
【図２８】図１の実施形態のデジタルアトリエ１０で、ビジタのアクセスに対する処理手順を示すフローチャートである。
【図２９】図１の実施形態のデジタルアトリエ１０で、ビジタのアクセスに対する処理手順を示すフローチャートである。
【図３０】図１のデジタルアトリエ１０にアクセスする場合の初期画面を示す図である。
【図３１】図１のデジタルアトリエ１０に初めてアクセスする場合に鍵を登録する入力画面を示す図である。
【図３２】図１のデジタルアトリエ１０に鍵を登録済のビジタがアクセスする場合の入力画面を示す図である。
【図３３】図１のデジタルアトリエ１０で鍵を形成するためのアンケート入力画面を示す図である。
【図３４】図１のデジタルアトリエ１０でのポイント引換え入力画面を示す図である。
【図３５】図１のデジタルアトリエ１０にアクセスする場合のカテゴリ番号入力画面を示す図である。
【図３６】図１のデジタルアトリエ１０にアクセスする場合の鍵不使用入力画面を示す図である。
【図３７】図１のデジタルアトリエ１０にアクセスする場合の商品発注画面を示す図である。
【図３８】図１のデジタルアトリエ１０にアクセスする場合のコメント入力画面を示す図である。
【図３９】図１のデジタルアトリエ１０にアクセスする場合の商品や作品を見る画面を示す図である。
【図４０】図１のデジタルアトリエ１０にアクセスする場合の他の鍵使用の入力画面を示す図である。
【図４１】図１のデジタルアトリエ１０にアクセスする場合の鍵組合せの入力画面を示す図である。
【図４２】図１のデジタルアトリエ１０で商品や作品を検索するときの画面を示す図である。
【図４３】先行技術で、仮想ショッピングモールでの業務を代行する考え方を示すブロック図である。
【符号の説明】
１０  デジタルアトリエ
１１  ＤＡ会員
１２  サイバースペース
１３  リアルスペース
１４  ライブラリサーバ
１４ａ  出展者ＨＰ／作品編集用認証管理テーブル
１４ｂ  処理
１５  モールサーバ
１５ａ  店舗／商品編集用認証管理テーブル
１５ｂ  処理
１６  ポータルサーバ
１６ａ  ＤＡ会員用認証管理テーブル
１６ｂ  処理
１７  インターネット
１８  ライブラリへのビジタ
１９  モールへのビジタ
２０  支援サーバ
２０ａ  ＤＡ会員用認証管理テーブル
２０ｂ  支援処理
２１  スタジオ
２１ａ  デジタル入出力機器
２１ｂ  アナログ入出力機器
２２  スクール
２３  提携モール
２４  出展者ホームページ
２５  店舗ホームページ
２６ａ  鍵管理テーブル
２６ｂ  鍵一時保管テーブル
２６ｃ  鍵作成用追加アンケート一時テーブル
２６ｄ  大・中・小カテゴリ番号テーブル
２６ｅ  ライブラリポイント一時テーブル
２６ｆ  錠管理テーブル
２６ｇ  鍵と錠の対比管理テーブル
２６ｈ  店舗・商品管理テーブル
２６ｉ  出展者・作品管理テーブル
２６ｊ  ポイント引換商品テーブル
２６ｋ  使用候補鍵テーブル
２６ｌ  組合せ候補鍵テーブル
２６ｍ  中分類候補値テーブル
２６ｎ  小分類候補値テーブル
２６ｏ  候補対比表テーブル
２６ｐ  候補商品テーブル
２６ｑ  候補作品テーブル
２６ｒ  引換候補商品テーブル
２６ｓ  引換商品テーブル
２８  ホームページ・店舗作成支援コンテンツ
２９ａ，２９ｂ  ＤＡ会員用端末
２９ｃ  ＤＡスタッフ用端末
【図１】
0004750268.tif 000004
【図２】
0004750268.tif 000005
【図３】
0004750268.tif 000006
【図４】
0004750268.tif 000007
【図５】
0004750268.tif 000008
【図６】
0004750268.tif 000009
【図７】
0004750268.tif 000010
【図８】
0004750268.tif 000011
【図９】
0004750268.tif 000012
【図１０】
0004750268.tif 000013
【図１１】
0004750268.tif 000014
【図１２】
0004750268.tif 000015
【図１３】
0004750268.tif 000016
【図１４】
0004750268.tif 000017
【図１５】
0004750268.tif 000018
【図１６】
0004750268.tif 000019
【図１７】
0004750268.tif 000020
【図１８】
0004750268.tif 000021
【図１９】
0004750268.tif 000022
【図２０】
0004750268.tif 000023
【図２１】
0004750268.tif 000024
【図２２】
0004750268.tif 000025
【図２３】
0004750268.tif 000026
【図２４】
0004750268.tif 000027
【図２５】
0004750268.tif 000028
【図２６】
0004750268.tif 000029
【図２７】
0004750268.tif 000030
【図２８】
0004750268.tif 000031
【図２９】
0004750268.tif 000032
【図３０】
0004750268.tif 000033
【図３１】
0004750268.tif 000034
【図３２】
0004750268.tif 000035
【図３３】
0004750268.tif 000036
【図３４】
0004750268.tif 000037
【図３５】
0004750268.tif 000038
【図３６】
0004750268.tif 000039
【図３７】
0004750268.tif 000040
【図３８】
0004750268.tif 000041
【図３９】
0004750268.tif 000042
【図４０】
0004750268.tif 000043
【図４１】
0004750268.tif 000044
【図４２】
0004750268.tif 000045
【図４３】
0004750268.tif 000046